(57)【特許請求の範囲】
【請求項１】
第１のワイヤレストランシーバデバイスにおいて、
第２のワイヤレストランシーバデバイスに精密タイミング測定要求メッセージを送信すること、前記精密タイミング測定要求メッセージが、前記第２のワイヤレストランシーバデバイスにおける前記精密タイミング測定要求メッセージの受信に応答して、前記第２のワイヤレストランシーバからの送信が要求される精密タイミング測定メッセージのバースト中での複数の精密タイミング測定メッセージの送信のためのタイミングの態様の１つまたは複数を指定する少なくとも１つのフィールドを備え、ここにおいて、前記少なくとも１つのフィールドのうちのフィールドは、前記タイミングの態様の１つとしての、精密タイミング測定メッセージの前記バースト中での前記複数の精密タイミング測定メッセージの連続する精密タイミング測定メッセージの送信間の最小持続時間を指定する、
を備える方法。
【請求項２】
前記少なくとも１つのフィールドが、前記複数の精密タイミング測定メッセージのうちの最初の精密タイミング測定メッセージの送信のための時間オフセットを指定する、請求項１に記載の方法。
【請求項３】
前記少なくとも１つのフィールドが、前記精密タイミング測定要求メッセージに応答した前記第２のワイヤレストランシーバデバイスからの前記複数の精密タイミング測定メッセージの送信のための周波数チャネルを指定し、ここにおいて、前記少なくとも１つのフィールドのうちの前記フィールドの中に指定される送信のための前記周波数チャネルが、前記精密タイミング測定要求メッセージを送信するために使用される周波数チャネルとは異なる、請求項１に記載の方法。
【請求項４】
前記精密タイミング測定要求メッセージが、複数のビットを定義するトリガフィールドをさらに備え、前記ビットのうちの少なくとも１つが、前記トリガフィールド以外の少なくとも１つのフィールド中の値が有効であるまたは容認されるのかどうかを示し、および、
前記ビットのうちの前記少なくとも１つが、前記複数の精密タイミング測定メッセージのうちの最初の精密タイミング測定メッセージの送信のための時間オフセットを指定する前記少なくとも１つのフィールド中の値が有効であるまたは容認されるのかどうかを示すビットを備える、請求項１に記載の方法。
【請求項５】
前記少なくとも１つのフィールドが、前記精密タイミング測定要求メッセージに応答して送信が要求される精密タイミング測定メッセージをブロードキャストすべきデータレートを指定する、または、
前記少なくとも１つのフィールドが、前記第１のワイヤレストランシーバデバイスがオフチャネルまたはスリープに移行することが許可され得る持続時間を指定する、または、
前記少なくとも１つのフィールドが、精密タイミング測定メッセージの前記バースト中での送信のための精密タイミング測定メッセージの要求数を指定する、または、
前記少なくとも１つのフィールドが、前記精密タイミング測定要求メッセージに応答して前記第２のワイヤレストランシーバデバイスからの送信が要求される精密タイミング測定メッセージの連続バースト数を指定し、精密タイミング測定メッセージの各連続バーストが、複数の精密タイミング測定メッセージを備え、および、前記少なくとも１つのフィールドのうちのフィールドが、精密タイミング測定メッセージの前記連続バーストの最初の精密タイミング測定メッセージ間の要求時間期間を指定する、または、
前記精密タイミング測定要求メッセージが、複数のビットを定義するトリガフィールドをさらに備え、前記ビットのうちの少なくとも１つが、前記精密タイミング測定要求メッセージの少なくとも１つの他のフィールド中の値が有効であるまたは容認されるのかどうかを示し、ここにおいて、前記ビットのうちの前記少なくとも１つが、精密タイミング測定メッセージのバースト中での送信のための精密タイミング測定メッセージの数を指定するフィールド中の値が有効であるまたは容認されるのかどうかを示すビットを備える、または、
前記精密タイミング測定要求メッセージが、複数のビットを定義するトリガフィールドをさらに備え、前記ビットのうちの少なくとも１つが、前記精密タイミング測定要求メッセージの少なくとも１つの他のフィールド中の値が有効であるまたは容認されるのかどうかを示し、ここにおいて、前記ビットのうちの前記少なくとも１つが、前記要求時間期間を指定する前記フィールド中の値が有効であるまたは容認されるのかどうかを示すビットを備える、請求項１に記載の方法。
【請求項６】
前記少なくとも１つのフィールドのうちのフィールドが、前記第１のワイヤレストランシーバデバイスにおける前記精密タイミング測定要求メッセージの送信と前記第１のワイヤレストランシーバデバイスにおける精密タイミング測定要求メッセージ肯定応答フレームの受信との間の最大時間を指定し、前記精密タイミング測定要求メッセージ肯定応答フレームが、前記精密タイミング測定要求メッセージの受信に応答して前記第２のワイヤレストランシーバデバイスによって送信されることが予想され、および、
前記精密タイミング測定要求メッセージが、複数のビットを定義するトリガフィールドをさらに備え、前記ビットのうちの少なくとも１つが、前記精密タイミング測定要求メッセージの少なくとも１つの他のフィールド中の値が有効であるまたは容認されるのかどうかを示し、ここにおいて、前記ビットのうちの前記少なくとも１つが、前記精密タイミング測定要求メッセージの送信と前記精密タイミング測定要求メッセージ肯定応答メッセージの受信との間の最大時間を指定する前記少なくとも１つのフィールド中の値が有効であるまたは容認されるのかどうかを示すビットを備える、請求項１に記載の方法。
【請求項７】
前記少なくとも１つのフィールドのうちのフィールドが、前記精密タイミング測定要求メッセージに応答して前記第２のワイヤレストランシーバデバイスによって送信されるべき精密タイミング測定メッセージのバースト数を指定する、請求項１に記載の方法。
【請求項８】
前記精密タイミング測定要求メッセージが、前記第１のワイヤレストランシーバデバイスにおいて以前に計算されたラウンドトリップ時間（ＲＴＴ）または距離を指定する少なくとも１つのフィールドをさらに備え、前記ＲＴＴまたは距離が、前記第１のワイヤレストランシーバデバイスと前記第２のワイヤレストランシーバデバイスとの間でのメッセージの以前の交換に、少なくとも部分的に、基づいて計算される、または、
前記少なくとも１つのフィールドのうちのフィールドが、前記第２のワイヤレストランシーバデバイスから受信された精密タイミング測定メッセージに基づいてタイムスタンプまたはタイムスタンプから導出された精密タイミング測定値を共有する前記第１のワイヤレストランシーバデバイスの意思を示す、請求項１に記載の方法。
【請求項９】
前記精密タイミング測定要求メッセージの受信に応答して前記第２のワイヤレストランシーバデバイスによって送信された精密タイミング測定要求メッセージ肯定応答メッセージを受信すること、前記精密タイミング測定要求メッセージ肯定応答メッセージが、前記第２のワイヤレストランシーバデバイスのロケーションにおいて測定された気圧を示す少なくとも１つのフィールドを備え、および、
前記精密タイミング測定要求メッセージ肯定応答メッセージ中の前記少なくとも１つのフィールドが、圧力分解能部分を指定する所定の数のビットと、圧力部分を指定する所定の数のビットと、整数部分を指定する所定の数のビットとを備える、
をさらに備える、請求項１に記載の方法。
【請求項１０】
前記第２のワイヤレストランシーバデバイスにおける前記精密タイミング測定要求メッセージの到着時間を指定する第１のフィールドと、前記第２のワイヤレストランシーバデバイスからの精密タイミング測定メッセージの出発時間を指定する第２のフィールドとを少なくとも備える、前記精密タイミング測定要求メッセージの受信に応答して前記第２のワイヤレストランシーバデバイスによって送信された前記精密タイミング測定メッセージを受信すること、
ここにおいて、前記第１のフィールドと前記第２のフィールドとの中に指定された値が固定ビット長値として表され、
ここにおいて、前記精密タイミング測定メッセージが、前記第１のフィールドまたは前記第２のフィールドのいずれかの中に指定された値が、以前に送信された精密タイミング測定メッセージ中の対応する値と不連続であることを示す少なくとも１つのフィールドをさらに備え、および、
前記第１のフィールドと前記第２のフィールドとの中の前記値が、固定ビットカウンタに従って決定され、ここにおいて、前記カウンタが最大値を超えており、最小値においてカウントを開始する場合、前記第１のフィールドまたは前記第２のフィールドの中に指定された値は不連続であるものとして示される、
をさらに備える、請求項１に記載の方法。
【請求項１１】
第１のワイヤレストランシーバデバイスであって、
第２のワイヤレストランシーバデバイスに精密タイミング測定要求メッセージを送信するための手段と、前記精密タイミング測定要求メッセージが、前記第２のワイヤレストランシーバデバイスにおける前記精密タイミング測定要求メッセージの受信に応答して、前記第２のワイヤレストランシーバからの送信が要求される精密タイミング測定メッセージのバースト中での複数の精密タイミング測定メッセージの送信のためのタイミングの態様の１つまたは複数を指定する少なくとも１つのフィールドを備え、ここにおいて、前記少なくとも１つのフィールドのうちのフィールドは、前記タイミングの態様の１つとしての、精密タイミング測定メッセージの前記バースト中での前記複数の精密タイミング測定メッセージの連続する精密タイミング測定メッセージの送信間の最小持続時間を指定する、
前記第２のトランシーバデバイスから、前記少なくとも１つのフィールドに、少なくとも部分的に、基づいて送信される１つまたは複数の精密タイミング測定要求メッセージを受信するための手段と
を備える第１のワイヤレストランシーバデバイス。
【請求項１２】
第１のワイヤレストランシーバデバイスにおいて、
第２のワイヤレストランシーバデバイスから精密タイミング測定要求メッセージを受信することと、前記精密タイミング測定要求メッセージが、送信が要求される精密タイミング測定メッセージのバースト中での複数の精密タイミング測定メッセージの送信のためのタイミングの態様の１つまたは複数を指定する少なくとも１つのフィールドを備える、
前記精密タイミング測定要求メッセージの受信に応答して、前記少なくとも１つのフィールドに、少なくとも部分的に、基づいて前記第２のワイヤレストランシーバデバイスに精密タイミング測定メッセージの１つまたは複数のバーストを送信することと、ここにおいて、精密タイミング測定メッセージの前記１つまたは複数のバーストを送信することは、前記少なくとも１つのフィールドのうちのフィールドに、少なくとも部分的に、基づいて、前記タイミングの態様の１つとしての、前記バースト中での連続する精密タイミング測定メッセージの送信間の最小持続時間を維持することをさらに備える、
を備える方法。
【請求項１３】
精密タイミング測定メッセージの前記１つまたは複数のバーストを送信することが、前記少なくとも１つのフィールドのうちのフィールドに、少なくとも部分的に、基づいてある時間オフセットで前記複数の精密タイミング測定メッセージのうちの最初の精密タイミング測定メッセージを送信することをさらに備える、または、
精密タイミング測定メッセージの前記１つまたは複数のバーストを送信することが、前記少なくとも１つのフィールドのうちのフィールドに、少なくとも部分的に、基づいてあるデータレートで精密タイミング測定メッセージの前記１つまたは複数のバーストをブロードキャストすることをさらに備える、または、
精密タイミング測定メッセージの前記１つまたは複数のバーストを送信することが、前記少なくとも１つのフィールドのうちのフィールドに、少なくとも部分的に、基づいて前記バースト中での送信のための精密タイミング測定メッセージの数を送信することをさらに備える、または、
精密タイミング測定メッセージの前記１つまたは複数のバーストを送信することが、前記少なくとも１つのフィールドのうちのフィールドに、少なくとも部分的に、基づいて精密タイミング測定メッセージの連続バースト数を送信することをさらに備える、または、
精密タイミング測定メッセージの前記１つまたは複数のバーストを送信することが、前記少なくとも１つのフィールドのうちのフィールドに、少なくとも部分的に、基づいて連続するバーストの最初の精密タイミング測定メッセージ間の時間期間を維持しながら精密タイミング測定メッセージの連続バーストを送信することをさらに備える、または、
精密タイミング測定メッセージの前記１つまたは複数のバーストを送信することが、前記少なくとも１つのフィールドのうちのフィールドに、少なくとも部分的に、基づいて精密タイミング測定メッセージのバースト数を送信することをさらに備える、請求項１２に記載の方法。
【請求項１４】
物品であって、
請求項１乃至１０または１３の方法を実行するために第１のワイヤレストランシーバデバイスの専用コンピューティング装置によって実行可能である、記憶された機械可読命令を備える非一時的記憶媒体
を備える、物品。
【請求項１５】
第１のワイヤレストランシーバデバイスであって、
第２のワイヤレストランシーバデバイスから精密タイミング測定要求メッセージを受信するための手段と、前記精密タイミング測定要求メッセージが、送信が要求される精密タイミング測定メッセージのバースト中での複数の精密タイミング測定メッセージの送信のためのタイミングの態様の１つまたは複数を指定する少なくとも１つのフィールドを備える、
前記少なくとも１つのフィールドに、少なくとも部分的に、基づいて前記精密タイミング測定要求メッセージの受信に応答して、前記第２のワイヤレストランシーバデバイスに精密タイミング測定メッセージの１つまたは複数のバーストを送信するための手段と、ここにおいて、精密タイミング測定メッセージの前記１つまたは複数のバーストを送信することが、前記少なくとも１つのフィールドのうちのフィールドに、少なくとも部分的に、基づいて、前記タイミングの態様の１つとしての、前記バースト中での連続する精密タイミング測定メッセージの送信間の最小持続時間を維持することをさらに備える、
を備える第１のワイヤレストランシーバデバイス。
【発明の詳細な説明】
【技術分野】
【０００１】
関連出願
本ＰＣＴ出願は、その全体が参照により本明細書に組み込まれる、「Ｍｅｔｈｏｄｓ  ａｎｄ  Ｓｙｓｔｅｍｓ  ｆｏｒ  Ｅｎｈａｎｃｅｄ  Ｒｏｕｎｄ  Ｔｒｉｐ  Ｔｉｍｅ（ＲＴＴ）Ｅｘｃｈａｎｇｅ」と題する、２０１３年５月３０日に出願された米国仮特許出願第６１／８２９，２０４号、「Ｍｅｔｈｏｄｓ  ａｎｄ  Ｓｙｓｔｅｍｓ  ｆｏｒ  Ｅｎｈａｎｃｅｄ  Ｒｏｕｎｄ  Ｔｒｉｐ  Ｔｉｍｅ（ＲＴＴ）Ｅｘｃｈａｎｇｅ」と題する、２０１３年７月１５日に出願された米国仮特許出願第６１／８４６，５２３号、「Ｍｅｔｈｏｄｓ  ａｎｄ  Ｓｙｓｔｅｍｓ  ｆｏｒ  Ｅｎｈａｎｃｅｄ  Ｒｏｕｎｄ  Ｔｒｉｐ  Ｔｉｍｅ（ＲＴＴ）Ｅｘｃｈａｎｇｅ」と題する、２０１３年７月２８日に出願された米国仮特許出願第６１／８５９，２７５号、「Ｍｅｔｈｏｄｓ  ａｎｄ  Ｓｙｓｔｅｍｓ  ｆｏｒ  Ｅｎｈａｎｃｅｄ  Ｒｏｕｎｄ  Ｔｒｉｐ  Ｔｉｍｅ（ＲＴＴ）Ｅｘｃｈａｎｇｅ」と題する、２０１３年８月１９日に出願された米国仮特許出願第６１／８６７，５９３号、「Ｍｅｔｈｏｄｓ  ａｎｄ  Ｓｙｓｔｅｍｓ  ｆｏｒ  Ｅｎｈａｎｃｅｄ  Ｒｏｕｎｄ  Ｔｒｉｐ  Ｔｉｍｅ（ＲＴＴ）Ｅｘｃｈａｎｇｅ」と題する、２０１３年１１月４日に出願された米国仮特許出願第６１／８９９，７９６号、および「Ｍｅｔｈｏｄｓ  ａｎｄ  Ｓｙｓｔｅｍｓ  ｆｏｒ  Ｅｎｈａｎｃｅｄ  Ｒｏｕｎｄ  Ｔｒｉｐ  Ｔｉｍｅ（ＲＴＴ）Ｅｘｃｈａｎｇｅ」と題する、２０１４年２月７日に出願された米国仮特許出願第６１／９３７，４３５号に関する。本ＰＣＴ出願はまた、やはりその全体が参照により本明細書に組み込まれる、「Ｍｅｔｈｏｄｓ  ａｎｄ  Ｓｙｓｔｅｍｓ  ｆｏｒ  Ｅｎｈａｎｃｅｄ  Ｒｏｕｎｄ  Ｔｒｉｐ  Ｔｉｍｅ（ＲＴＴ）」と題する、２０１４年５月２２日に出願された米国非仮特許出願第１４／２８５，５８４号に関する。
簡単な説明
[0001]  本明細書で説明する実施形態は、モバイル送信機から捕捉された信号の測定値を取得することを対象とする。
【背景技術】
【０００２】
[0002]  全地球測位システム（ＧＰＳ：global positioning system）などの衛星測位システム（ＳＰＳ：satellite positioning system）は、屋外環境におけるモバイルハンドセットのナビゲーションサービスを可能にした。同様に、屋内環境においてモバイルデバイスの位置の推定値を取得するための特定の技法は、宅内ベニュー、政府ベニューまたは商業ベニューなど特定の屋内ベニュー（indoor venue）で拡張ロケーションベースサービスを使用可能にし得る。たとえば、モバイルデバイスと固定ロケーションに位置するトランシーバとの間の距離（range）は、第１のデバイスから第２のデバイスへの第１のメッセージの送信と、第１のメッセージに応答して送信された、第１のデバイスにおける第２のメッセージの受信との間で測定されたラウンドトリップ時間（ＲＴＴ：round trip time）の測定値に少なくとも部分的に基づいて測定され得る。
【０００３】
[0003]  以下の図面を参照して、非限定的および非網羅的な態様が説明される。特に指定のない限り、様々な図面を通じて、同様の参照番号は同様の部分を指す。
【図面の簡単な説明】
【０００４】
【図１】[0004]  一実装形態による、モバイルデバイスを含んでいるシステムのいくつかの特徴を示すシステム図。
【図２】[0005]  一実施形態による、ワイヤレス局（ＳＴＡ）間のメッセージフローを示す図。
【図３】[0006]  一実施形態による、ワイヤレスＳＴＡ間のメッセージフローにおけるメッセージバーストに関するタイミングの少なくとも１つの態様を示す図。
【図４Ａ】[0007]  一実施形態による、精密タイミング測定要求フレームまたはメッセージ中のフィールドを示す図。
【図４Ｂ】[0008]  代替実施形態による、受信ＳＴＡによって送信される例示的な精密タイミング測定要求メッセージのフィールドを示す図。
【図５Ａ】[0009]  一実施形態による、精密タイミング測定要求メッセージ肯定応答フレーム中のフィールドを示す図。
【図５Ｂ】[00010]  一実施形態による、ワイヤレスＳＴＡによって精密タイミング測定要求フレームと精密タイミング測定フレームとを交換するためのプロセスの流れ図。
【図５Ｃ】一実施形態による、ワイヤレスＳＴＡによって精密タイミング測定要求フレームと精密タイミング測定フレームとを交換するためのプロセスの流れ図。
【図５Ｄ】一実施形態による、ワイヤレスＳＴＡによって精密タイミング測定要求フレームと精密タイミング測定フレームとを交換するためのプロセスの流れ図。
【図５Ｅ】一実施形態による、ワイヤレスＳＴＡによって精密タイミング測定要求フレームと精密タイミング測定フレームとを交換するためのプロセスの流れ図。
【図６Ａ】[00011]  別の代替実施形態による、ワイヤレスＳＴＡ間のメッセージフローを示す図。
【図６Ｂ】[00012]  一実施形態による、ワイヤレスＳＴＡによって精密タイミング測定要求フレームと精密タイミング測定フレームとを交換するためのプロセスの流れ図。
【図６Ｃ】一実施形態による、ワイヤレスＳＴＡによって精密タイミング測定要求フレームと精密タイミング測定フレームとを交換するためのプロセスの流れ図。
【図６Ｄ】[00013]  一実施形態による、ワイヤレスＳＴＡによって精密タイミング測定要求フレームと精密タイミング測定フレームとを交換するためのプロセスの流れ図。
【図６Ｅ】一実施形態による、ワイヤレスＳＴＡによって精密タイミング測定要求フレームと精密タイミング測定フレームとを交換するためのプロセスの流れ図。
【図６Ｆ】[00014]  一実施形態による、ワイヤレスＳＴＡによって精密タイミング測定要求フレームと精密タイミング測定フレームとを交換するためのプロセスの流れ図。
【図６Ｇ】一実施形態による、ワイヤレスＳＴＡによって精密タイミング測定要求フレームと精密タイミング測定フレームとを交換するためのプロセスの流れ図。
【図６Ｈ】[00015]  一実施形態による、ワイヤレスＳＴＡによって精密タイミング測定要求フレームと精密タイミング測定フレームとを交換するためのプロセスの流れ図。
【図６Ｉ】一実施形態による、ワイヤレスＳＴＡによって精密タイミング測定要求フレームと精密タイミング測定フレームとを交換するためのプロセスの流れ図。
【図６Ｊ】[00016]  一実施形態による、ワイヤレスＳＴＡによって精密タイミング測定要求フレームと精密タイミング測定フレームとを交換するためのプロセスの流れ図。
【図６Ｋ】一実施形態による、ワイヤレスＳＴＡによって精密タイミング測定要求フレームと精密タイミング測定フレームとを交換するためのプロセスの流れ図。
【図６Ｌ】[00017]  一実施形態による、ワイヤレスＳＴＡによって精密タイミング測定要求フレームと精密タイミング測定フレームとを交換するためのプロセスの流れ図。
【図６Ｍ】一実施形態による、ワイヤレスＳＴＡによって精密タイミング測定要求フレームと精密タイミング測定フレームとを交換するためのプロセスの流れ図。
【図７Ａ】[00018]  一実施形態による、ハイブリッド精密タイミング測定要求メッセージ肯定応答フレーム中のフィールドを示す図。
【図７Ｂ】[00019]  別の代替実施形態による、ワイヤレスＳＴＡ間のメッセージフローを示す図。
【図８】[00020]  別の代替実施形態による、ワイヤレスＳＴＡ間のメッセージフローを示す図。
【図９Ａ】[00021]  一実施形態による、精密タイミングラウンドトリップ時間（ＲＴＴ）フィードバックフレームのフィールドを示す図。
【図９Ｂ】[00022]  一実施形態による、ＲＴＴ測定値を交換するためのプロセスの流れ図。
【図９Ｃ】一実施形態による、ＲＴＴ測定値を交換するためのプロセスの流れ図。
【図９Ｄ】[00023]  代替実施形態による、ＲＴＴ測定値の交換のための流れ図。
【図９Ｅ】代替実施形態による、ＲＴＴ測定値の交換のための流れ図。
【図１０Ａ】[00024]  別の代替実施形態による、ワイヤレスＳＴＡ間のメッセージフローを示す図。
【図１０Ｂ】[00025]  代替実施形態による、精密タイミング測定要求フレーム中のフィールドを示す図。
【図１０Ｃ】[00026]  一実施形態による、精密タイミング測定要求フレーム中のトリガフィールド中の値の定義を示す図。
【図１０Ｄ】[00027]  一実施形態による、精密タイミング測定要求フレーム中のトリガフィールド中の値の定義を示す図。
【図１０Ｅ】[00028]  代替実施形態による、ハイブリッド精密タイミング測定肯定応答フレーム中のフィールドを示す図。
【図１０Ｆ】代替実施形態による、ハイブリッド精密タイミング測定肯定応答フレーム中のフィールドを示す図。
【図１０Ｇ】代替実施形態による、ハイブリッド精密タイミング測定肯定応答フレーム中のフィールドを示す図。
【図１０Ｈ】[00029]  別の代替実施形態による、ワイヤレスＳＴＡ間のメッセージフローを示す図。
【図１０Ｉ】[00030]  代替実施形態による、メッセージフローを示す図。
【図１０Ｊ】[00031]  代替実施形態による、精密タイミング測定要求メッセージのフィールドを示す図。
【図１０Ｋ】[00032]  代替実施形態による、トリガフィールドの定義を示す図。
【図１０Ｌ】[00033]  一実施形態による、ハイブリッド精密タイミング測定要求メッセージ肯定応答フレームのフィールドを示す図。
【図１０Ｍ】[00034]  一実施形態による、精密タイミング測定要求メッセージのフィールドを示す図。
【図１０Ｎ】[00035]  一代替実施形態による、メッセージフローを示す図。
【図１０Ｏ】[00036]  一実施形態による、精密タイミング測定要求メッセージのフィールドを示す図。
【図１０Ｐ】[00037]  一実施形態による、精密タイミング測定要求メッセージのフィールドを示す図。
【図１０Ｑ】[00038]  一実施形態による、ワイヤレスＳＴＡによって精密タイミング測定要求フレームと精密タイミング測定肯定応答フレームとを交換するためのプロセスの流れ図。
【図１０Ｒ】一実施形態による、ワイヤレスＳＴＡによって精密タイミング測定要求フレームと精密タイミング測定肯定応答フレームとを交換するためのプロセスの流れ図。
【図１０Ｓ】[00039]  一実施形態による、精密タイミング測定要求メッセージ中のＦＴＭパラメータを構成するフィールドを示す図。
【図１０Ｔ】[00040]  一実施形態による、精密タイミング測定応答フレームを構成するフィールドを示す図。
【図１０Ｕ】[00041]  代替実施形態による、精密タイミング測定応答フレームを構成するフィールドを示す図。
【図１０Ｖ】[00042]  一実施形態による、精密タイミング測定メッセージを構成するフィールドの少なくともサブセットを示す図。
【図１１】[00043]  一実装形態による、例示的なデバイスを示す概略ブロック図。
【図１２】[00044]  一実装形態による、例示的なコンピューティングシステムの概略ブロック図。
【図１３】[00045]  一実施形態による、タイムスタンプを共有する意思を指定するためのフィールドを含む精密タイミング測定要求メッセージのフィールドを示す図。
【図１４】[00046]  一実施形態に一致した精密タイミング測定チャネル間隔を指定するための１つのフィールドを含む精密タイミング測定要求メッセージのフィールドを示す図。
【図１５Ａ】[00047]  一実施形態に一致した精密タイミング測定チャネル間隔の値を符号化する実装形態を示す図。
【図１５Ｂ】一実施形態に一致した精密タイミング測定チャネル間隔の値を符号化する実装形態を示す図。
【図１６】[00048]  精密タイミング測定要求メッセージに応答した複数のタイムスタンプの作成を示すメッセージフロー図。
【図１７】[00049]  一実施形態による、精密タイミング要求メッセージ肯定応答のフィールドを示す図。
【図１８】[00050]  一実施形態による、精密タイミング測定要求メッセージの圧力フィールド（pressure field）中に与えられるべき値のための例示的なフォーマットを示す図。
【図１９】[00051]  代替実施形態による、精密タイミング測定メッセージのためのフィールドを示す図。
【図２０】[00052]  一実施形態による、所望の構成を広告するために第１のＳＴＡから第２のＳＴＡへのフレームまたはメッセージ中に実装され得るフィールドのためのフォーマットを示す図。
【発明の概要】
【０００５】
[00053]  手短に言えば、特定の実装形態は、第１のワイヤレストランシーバデバイスにおいて、第２のワイヤレストランシーバデバイスに精密タイミング測定要求メッセージ（fine timing measurement request message）を送信すること、精密タイミング測定要求メッセージが、第２のワイヤレストランシーバデバイスにおける精密タイミング測定要求メッセージの受信に応答した第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、を備える方法を対象とする。
【０００６】
[00054]  別の特定の実装形態は、第１のワイヤレストランシーバデバイスであって、ワイヤレス通信ネットワークにメッセージを送信し、ワイヤレス通信ネットワークからメッセージを受信するためのトランシーバと、第２のワイヤレストランシーバデバイスにトランシーバを通して精密タイミング測定要求メッセージの送信を開始すること、精密タイミング測定要求メッセージが、第２のワイヤレストランシーバデバイスにおける精密タイミング測定要求メッセージの受信に応答した第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、を行うための１つまたは複数のプロセッサとを備える第１のワイヤレストランシーバデバイスを対象とする。
【０００７】
[00055]  別の特定の実装形態は、第２のワイヤレストランシーバデバイスに精密タイミング測定要求メッセージの送信を開始すること、精密タイミング測定要求メッセージが、第２のワイヤレストランシーバデバイスにおける精密タイミング測定要求メッセージの受信に応答した第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、を行うために第１のワイヤレストランシーバデバイスの専用コンピューティング装置によって実行可能である、記憶された機械可読命令を備える非一時的記憶媒体（non-transitory storage medium）を備える、物品（article）を対象とする。
【０００８】
[00056]  別の特定の実装形態は、第１のワイヤレストランシーバデバイスであって、第２のワイヤレストランシーバデバイスに精密タイミング測定要求メッセージを送信するための手段と、精密タイミング測定要求メッセージが、第２のワイヤレストランシーバデバイスにおける精密タイミング測定要求メッセージの受信に応答した第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、第２のトランシーバデバイスから、少なくとも１つのフィールドに少なくとも部分的に基づいて送信される１つまたは複数の精密タイミング測定要求フレームを受信するための手段とを備える第１のワイヤレストランシーバデバイスを対象とする。
【０００９】
[00057]  別の特定の実装形態は、第１のワイヤレストランシーバデバイスにおいて、第２のワイヤレストランシーバデバイスから精密タイミング測定要求メッセージを受信することと、精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、精密タイミング測定要求メッセージの受信に応答して、少なくとも１つのフィールドに少なくとも部分的に基づいて第２のワイヤレストランシーバデバイスに精密タイミング測定メッセージの１つまたは複数のバーストを送信することとを備える方法を対象とする。
【００１０】
[00058]  別の特定の実装形態は、第１のワイヤレストランシーバデバイスであって、ワイヤレス通信ネットワークにメッセージを送信し、ワイヤレス通信ネットワークからメッセージを受信するためのトランシーバと、第２のワイヤレストランシーバデバイスからトランシーバにおいて受信された精密タイミング測定要求メッセージを取得することと、精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、精密タイミング測定要求メッセージの受信に応答して、少なくとも１つのフィールドに少なくとも部分的に基づいて第２のワイヤレストランシーバデバイスにトランシーバを通して精密タイミング測定メッセージの１つまたは複数のバーストの送信を開始することとを行うための１つまたは複数のプロセッサとを備える第１のワイヤレストランシーバデバイスを対象とする。
【００１１】
[00059]  別の特定の実装形態は、第２のワイヤレストランシーバデバイスから第１のワイヤレストランシーバデバイスにおいて受信された精密タイミング測定要求メッセージを取得することと、精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、精密タイミング測定要求メッセージの受信に応答して、少なくとも１つのフィールドに少なくとも部分的に基づいて第２のワイヤレストランシーバデバイスに精密タイミング測定メッセージの１つまたは複数のバーストの送信を開始することとを行うために第１のワイヤレストランシーバデバイスの専用コンピューティング装置によって実行可能である、記憶された機械可読命令を備える非一時的記憶媒体を備える、物品を対象とする。
【００１２】
[00060]  別の特定の実装形態は、第１のワイヤレストランシーバデバイスであって、第２のワイヤレストランシーバデバイスから精密タイミング測定要求メッセージを受信するための手段と、精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、少なくとも１つのフィールドに少なくとも部分的に基づいて精密タイミング測定要求メッセージの受信に応答して第２のワイヤレストランシーバデバイスに精密タイミング測定メッセージの１つまたは複数のバーストを送信するための手段とを備える第１のワイヤレストランシーバデバイスを対象とする。
【００１３】
[00061]  上述の実装形態は例示的な実装形態にすぎず、請求する主題は、必ずしもこれらの例示的な実装形態の特定の態様に限定されるとは限らないことを理解されたい。
【発明を実施するための形態】
【００１４】
[00062]  以下で説明するように、特定のメッセージフローにより、ワイヤレス局（ＳＴＡ）間のメッセージの送信に関してラウンドトリップ時間（ＲＴＴ）の効果的かつ効率的な測定が可能になり得る。特定の例では、ＳＴＡは、たとえば、モバイルユーザ局（たとえば、スマートフォン、ノートブックコンピュータ、タブレットコンピュータなど）またはワイヤレスサービスアクセスデバイス（たとえば、ワイヤレスローカルエリアネットワーク（ＷＬＡＮ）アクセスポイント、パーソナルエリアネットワーク（ＰＡＮ）またはフェムトセル）など、いくつかのタイプのトランシーバデバイスのうちのいずれか１つを備え得る。特定のメッセージフローとメッセージフレーム中のフィールドにより、たとえば、より少ないメッセージを使用してワイヤレスＳＴＡ間の距離を測定するのに十分な精度でＲＴＴ測定値を取得することが可能になり得る。そのような測定距離は、たとえば、測位演算（positioning operation）を含むいくつかの適用例のうちのいずれか１つにおいて使用され得る。
【００１５】
[00063]  いくつかの実装形態では、図１に示すように、モバイルデバイス１００は、ＳＰＳ衛星１６０から衛星測位システム（ＳＰＳ）信号１５９を受信または捕捉し得る。いくつかの実施形態では、ＳＰＳ衛星１６０は、ＧＰＳ衛星システムまたはＧａｌｉｌｅｏ衛星システムなど、１つのグローバルナビゲーション衛星システム（ＧＮＳＳ）からのものであり得る。他の実施形態では、ＳＰＳ衛星は、限定はしないが、ＧＰＳ衛星システム、Ｇａｌｉｌｅｏ衛星システム、Ｇｌｏｎａｓｓ衛星システム、またはＢｅｉｄｏｕ（Ｃｏｍｐａｓｓ）衛星システムなどの複数のＧＮＳＳからのものであり得る。他の実施形態では、ＳＰＳ衛星は、たとえば、ほんの数例を挙げると、ワイドエリアオーグメンテーションシステム（ＷＡＡＳ）、欧州静止ナビゲーションオーバーレイサービス（ＥＧＮＯＳ）、準天頂衛星システム（ＱＺＳＳ）などの任意の１ついくつかの地域航法衛星システム（ＲＮＳＳ’）からのものであり得る。
【００１６】
[00064]  さらに、モバイルデバイス１００は、ワイヤレス通信ネットワークに無線信号を送信し、そこから無線信号を受信し得る。一例では、モバイルデバイス１００は、ワイヤレス通信リンク１２３を介して基地局トランシーバ１１０にワイヤレス信号を送信するか、または基地局トランシーバ１１０からワイヤレス信号を受信することによってセルラー通信ネットワークと通信し得る。同様に、モバイルデバイス１００は、ワイヤレス通信リンク１２５を介してローカルトランシーバ１１５にワイヤレス信号を送信するか、またはローカルトランシーバ１１５からワイヤレス信号を受信し得る。
【００１７】
[00065]  特定の実装形態では、ローカルトランシーバ１１５は、ワイヤレス通信リンク１２３介して基地局トランシーバ１１０によって使用可能にされる距離よりも短い距離でワイヤレス通信リンク１２５を介してモバイルデバイス１００と通信するように構成され得る。たとえば、ローカルトランシーバ１１５は、屋内環境に配置され得る。ローカルトランシーバ１１５は、ワイヤレスローカルエリアネットワーク（ＷＬＡＮ、たとえば、ＩＥＥＥ規格８０２．１１ネットワーク）またはワイヤレスパーソナルエリアネットワーク（ＷＰＡＮ、たとえば、Ｂｌｕｅｔｏｏｔｈ（登録商標）ネットワーク）へのアクセスを提供し得る。別の例示的な実装形態では、ローカルトランシーバ１１５は、セルラー通信プロトコルに従うワイヤレス通信リンク１２５上での通信を容易にすることが可能なフェムトセルトランシーバを備え得る。もちろん、これらが、ワイヤレスリンクを介してモバイルデバイスと通信し得るネットワークの例にすぎず、特許請求する主題が、この点について限定されないことを理解されたい。
【００１８】
[00066]  特定の実装形態では、基地局トランシーバ１１０およびローカルトランシーバ１１５は、リンク１４５を通してネットワーク１３０を介してサーバ１４０、１５０および／または１５５と通信し得る。ここで、ネットワーク１３０は、ワイヤードまたはワイヤレスリンクのどの組合せも備え得る。特定の実装形態では、ネットワーク１３０は、ローカルトランシーバ１１５または基地局トランシーバ１１０を通したモバイルデバイス１００とサーバ１４０、１５０または１５５との間の通信を容易にすることが可能なインターネットプロトコル（ＩＰ）インフラストラクチャを備え得る。別の実装形態では、ネットワーク１３０は、モバイルデバイス１００とのモバイルセルラー通信を容易にするために、たとえば、基地局コントローラまたはマスタ交換センター（図示せず）などのセルラー通信ネットワークインフラストラクチャを備え得る。
【００１９】
[00067]  特定の実装形態では、モバイルデバイス１００は、ローカル送信機（たとえば、既知のロケーションに位置するＷＬＡＮアクセスポイント）から捕捉された信号に少なくとも部分的に基づいて位置フィックスを計算することが可能であり得る。たとえば、モバイルデバイスは、既知のロケーションに位置する３つ以上の屋内地上波ワイヤレスアクセスポイントまでの距離を測定することによって位置フィックス（position fix）を取得し得る。そのような距離は、たとえば、そのようなアクセスポイントから受信された信号からＭＡＣ  ＩＤアドレスを取得することと、たとえば、受信信号強度（ＲＳＳＩ）またはラウンドトリップ時間（ＲＴＴ）など、そのようなアクセスポイントから受信された信号の１つまたは複数の特性を測定することによってアクセスポイントまでの距離測定値を取得することとによって測定され得る。代替実装形態では、モバイルデバイス１００は、屋内エリアの特定のロケーションにおいて予想されるＲＳＳＩおよび／またはＲＴＴシグネチャを示す無線ヒートマップ（radio heatmap）に捕捉された信号の特性を適用することによって屋内位置フィックスを取得し得る。特定の実装形態では、無線ヒートマップは、ローカル送信機の識別情報（たとえば、ローカル送信機から捕捉された信号から識別可能であるＭＡＣアドレス）、識別されたローカル送信機によって送信された信号から予想されるＲＳＳＩ、識別された送信機から予想されるＲＴＴ、および場合によってはこれらの予想されるＲＳＳＩまたはＲＴＴからの標準偏差を関連付け得る。ただし、これらが無線ヒートマップに記憶され得る値の例にすぎず、特許請求する主題がこの点について限定されないことを理解されたい。
【００２０】
[00068]  特定の実装形態では、モバイルデバイス１００は、サーバ１４０、１５０または１５５から屋内測位動作用の測位支援データを受信し得る。たとえば、そのような測位支援データは、たとえば、測定されたＲＳＳＩおよび／またはＲＴＴに少なくとも部分的に基づいて既知のロケーションに位置する送信機までの距離を測定することを可能にするために、これらの送信機のロケーションと識別情報とを含み得る。屋内測位動作を助けるための他の測位支援データは、ほんの数例を挙げると、無線ヒートマップ、磁気ヒートマップ、送信機のロケーションおよび識別情報、ルートアビリティグラフ（routeability graph）を含み得る。
【００２１】
[00069]  特定の実装形態では、ワイヤレスＳＴＡ間の特定のメッセージフローは、上記で説明したように測位演算において使用するためにＳＴＡ間のＲＴＴの測定値を取得するために実装され得る。特定の実装形態では、以下で説明するように、ＳＴＡは、モバイルデバイス（たとえば、モバイルデバイス１００）または固定トランシーバ（たとえば、ＩＥＥＥ規格８０２．１１アクセスポイント、固定Ｂｌｕｅｔｏｏｔｈデバイス、ローカルトランシーバ１１５など）を備え得る。したがって、ワイヤレスＳＴＡ間のメッセージの交換は、ほんの数例を挙げると、モバイルデバイスと固定トランシーバとの間、２つのピアモバイルデバイス間、または２つの固定トランシーバ間のメッセージの交換を備え得る。特定の実装形態では、本明細書で説明する様々な技法は、ＩＥＥＥ  Ｓｔａｎｄａｒｄ  ８０２．１１  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ，  Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）、２０１２年２月６日、セクション１０．２３．５（以下「ＩＥＥＥ規格８０２．１１」）の必ずしもすべてとは限らないが、いくつかの態様または特徴を組み込み得る。実際、本明細書で説明するいくつかの特徴がＩＥＥＥ規格８０２．１１では図示、説明または教示されていないことを理解されたい。
【００２２】
[00070]  図２は、一実施形態による、「送信」ＳＴＡと「受信」ＳＴＡとを含むワイヤレス局ＳＴＡ間のメッセージフローを示す図である。このコンテキストでは、送信ＳＴＡまたは受信ＳＴＡは、モバイルデバイス（たとえば、モバイルデバイス１００）または固定アクセストランシーバデバイス（たとえば、ローカルトランシーバ１１５）を含むいくつかのトランシーバデバイスのうちのいずれか１つを備え得る。受信ＳＴＡは、受信ＳＴＡと送信ＳＴＡとの間で送信されるメッセージまたはフレームのタイミングに少なくとも部分的に基づいて、ＲＴＴの１つまたは複数の測定値を取得または計算し得る。本明細書で使用する「メッセージ」および「フレーム」という用語は、互換的に使用される。受信ＳＴＡは、送信ＳＴＡに精密タイミング測定要求メッセージまたはフレーム（「要求」）を送信し、応答して送信された精密タイミング要求メッセージ肯定応答メッセージまたはフレーム（「Ａｃｋ」）を受信し得る。特定の実装形態では、請求する主題をこの点において制限することなしに、そのような精密タイミング測定要求メッセージのコンテンツは、ＩＥＥＥ規格８０２．１１のセクション８．６．８．２５に示されたようなものであり得る。特定の実装形態では、そのようなＡｃｋフレームは、単に、以前に送信されたメッセージの受信の指示を与え得る。受信ＳＴＡは、次いで、送信ＳＴＡから受信された（および精密タイミング測定要求メッセージの受信に応答して送信された）精密タイミング測定メッセージまたはフレーム（「Ｍ」）中で与えられたタイムスタンプ値（ｔ１，ｔ４）に少なくとも部分的に基づいて、ＲＴＴ測定値を取得または計算し得る。特定の実装形態では、メッセージフロー図に示すように、交互精密タイミング測定メッセージと、それに続く精密タイミング測定肯定応答メッセージとの一連の複数の交換は、追加のタイムスタンプ値（ｔ１、ｔ２、ｔ３およびｔ４）を作成し得る。
【００２３】
[00071]  特定の実装形態では、請求する主題をこの点において制限することなしに、そのような精密タイミング測定メッセージまたはフレームのコンテンツは、ＩＥＥＥ規格８０２．１１のセクション８．６．８．２６に示されたようなものであり得る。例示的な一実装形態では、受信ＳＴＡは、ＲＴＴ測定値を（ｔ４−ｔ１）−（ｔ３−ｔ２）として計算し得、ここで、ｔ２およびｔ３は、それぞれ、前の精密タイミング測定メッセージまたはフレームの受信の時間および前の肯定応答メッセージ（acknowledgement message）またはフレームの送信の時間である。受信ＳＴＡは、受信ＳＴＡと送信ＳＴＡとの間の距離を計算する際の測定雑音の除去のために組み合わされ得る対応する数のＲＴＴ測定値を取得するために、バースト中で一連の精密タイミング測定要求メッセージを送信し得る。
【００２４】
[00072]  図３は、一実施形態による、ワイヤレスＳＴＡ間のメッセージフローにおけるメッセージバーストに関するタイミングの少なくとも１つの態様を示す図である。図示のように、精密タイミング測定メッセージまたはフレームと対応する肯定応答メッセージまたはフレームとの複数のフレームペアが、（たとえば、受信ＳＴＡによって送信され、送信ＳＴＡにおいて受信された単一の精密タイミング測定要求メッセージに応答して）バースト中で送信され得る。一態様では、パラメータＭｉｎ＿ｄｅｌｔａ＿ＦＴＭは、連続フレームペア（「精密タイミング測定フレームペア」）の始点間の最小時間を指定し得、ここで、フレームペアの始点は、送信ＳＴＡからのペアの対応する精密タイミング測定メッセージの送信によってマーキングされ得る。別の態様では、バーストごとのフレームペアの数が、パラメータ「Ｆｒａｍｅｓ  ｐｅｒ  Ｂｕｒｓｔ」によって定義され得る。ここで、バースト中のフレームペアは、送信ＳＴＡによって送信される精密タイミング測定メッセージと、それに続く、精密タイミング測定メッセージの受信に応答して受信ＳＴＡによって送信される肯定応答メッセージとを備え得る。
【００２５】
[00073]  図４Ａに、一実施形態による、受信ＳＴＡによって送信される例示的な精密タイミング測定要求メッセージのフィールドを示す。ＩＥＥＥ規格８０２．１１に記載されているフィールドＣａｔｅｇｏｒｙ、ＡｃｔｉｏｎおよびＴｒｉｇｇｅｒに加えて、フィールドＭｉｎ＿ｄｅｌｔａ＿ＦＴＭ、Ｔｉｍｅｏｕｔ、Ｆｒａｍｅｓ  ｐｅｒ  Ｂｕｒｓｔおよび／またはＢｕｒｓｔ  Ｐｅｒｉｏｄが定義され得る。ここで、トリガフィールド（Trigger field）の２の値は、（たとえば、受信ＳＴＡへの１つまたは複数の精密タイミング測定メッセージの送信に続いて）受信ＳＴＡが送信ＳＴＡにＲＴＴ測定値を返送し得ることを示し得る。ここで、受信ＳＴＡは、図２に関して上記で説明した技法に基づいてＲＴＴを計算し得る。送信ＳＴＡは、次に、受信ＳＴＡにおいて取得および計算されたオブザＲＴＴ測定値（またはＲＴＴ測定値に基づく距離）から利益を受け得る。Ｔｒｉｇｇｅｒフィールドの４の値は、受信ＳＴＡが短フレーム間隔（ＳＩＦＳ：Short Inter-Frame Space）バースティング技法を適応し得ることを示し得る。フィールドＭｉｎ＿ｄｅｌｔａ＿ＦＴＭの値は、すでに指摘したように連続する精密タイミング測定メッセージまたはフレーム間の最小時間を（たとえば、μｓの単位で）示し得る。フィールドＴｉｍｅｏｕｔは、受信ＳＴＡからの最初の精密タイミング測定要求フレームの送信から、受信ＳＴＡが最初の精密タイミング測定要求フレームに応答して第１の精密タイミング測定フレームを受信するまでの時間の長さを（たとえば、μｓの単位で）示し得る。
【００２６】
[00074]  すでに指摘したように、フィールドＦｒａｍｅｓ  Ｐｅｒ  Ｂｕｒｓｔは、所与のバースト中で何個のフレームペアが送信されるべきであるかを示し得る。フィールドＢｕｒｓｔ  Ｐｅｒｉｏｄは、測定のバーストがどのくらいの頻度で行われるべきかを（たとえば、１００ｍｓまたはターゲットビーコン送信時間（ＴＢＴＴ：target beacon transmission time）の単位で）示し得、ここで、小さい値は、送信ＳＴＡと受信ＳＴＡとの間の比較的頻繁な移動の環境を示すために適用可能であり得、一方、大きい値は、比較的固定の環境に適用可能であり得る。
【００２７】
[00075]  図４Ｂに、代替実施形態による、受信ＳＴＡによって送信される例示的な精密タイミング要求メッセージのフィールドを示す。ここで、８ビットの「Ｆｒａｍｅｓ  ｐｅｒ  Ｂｕｒｓｔ」は、タイミング測定交換が精密タイミング測定要求メッセージの送信に続いて開始すべき時間オフセットまたは持続時間を指定するために使用され得る「Ｏｆｆｓｅｔ」フィールドと置き換えられ得る。特定の実装形態では、１６ビットのフィールド「Ｂｕｒｓｔ  Ｐｅｒｉｏｄ」は、バースト測定がどのくらいの頻度で行われるべきであるかを指定し得る。特定の実施形態では、「Ｂｕｒｓｔ  Ｐｅｒｉｏｄ」の値は、１００ｍｓまたはＴＢＴＴのいずれかで表され得る。小さい値は、比較的動的な環境に適用可能であり得るが、より大きい値は、比較的静的な環境に適用可能であり得る。一例では、「Ｂｕｒｓｔ  Ｐｅｒｉｏｄ」フィールド中の２16−１の値は、単一のバーストが行われるべきであることを指定し得、「Ｂｕｒｓｔ  Ｐｅｒｉｏｄ」フィールド中の０の値は、不確定のまたは無限の数のバーストが行われるべきであることを指定し得る。
【００２８】
[00076]  図５Ａは、一実施形態による、図４Ａに示す精密タイミング測定要求メッセージまたはフレームの実装形態など、精密タイミング測定要求メッセージまたはフレームに応答して送信されるべき精密タイミング測定要求メッセージ肯定応答フレーム中のフィールドを示す図である。特定の例示的な一実装形態では、図５Ａのタイミング測定要求メッセージ肯定応答フレーム中のフィールドＴｒｉｇｇｅｒの値は、対応する精密タイミング測定要求のＴｒｉｇｇｅｒフィールド中に記載される要求の受入れ、拒絶または変更を示し得る。ここで、特定の実装形態では、図５Ａのタイミング測定肯定応答フレーム中のではフィールドＴｒｉｇｇｅｒは以下を示し得る。
０：最初の拒否
１：ＯＫ（デフォルトの挙動）
３：ＯＫ＋ＲＴＴを送る
５：ＯＫ＋ＳＩＦＳバースティング
７：ＯＫ＋ＲＴＴを送る＋ＳＩＦＳバースティング
[00077]  同様に、図５Ａのタイミング測定肯定応答フレームのフィールＭｉｎ＿ｄｅｌｔａ＿ＦＴＭ  ＯＫの値は、対応する精密タイミング測定要求メッセージまたはフレームのＭｉｎ＿ｄｅｌｔａ＿ＦＴＭフィールド中に記載されるパラメータの受入れ、拒絶または変更を示し得る。ここで、特定の実装形態では、精密タイミング測定肯定応答フレームのＭｉｎ＿ｄｅｌｔａ＿ＦＴＭ  ＯＫフィールドは以下を示し得る。
１：要求メッセージ中に示されたＭｉｎ＿ｄｅｌｔａ＿ＦＴＭが受入れ可能である
０：より大きいＭｉｎ＿ｄｅｌｔａ＿ＦＴＭを選択するようにとの勧誘
[00078]  図５Ａの精密タイミング測定要求メッセージ肯定応答フレームのフィールドＦｒａｍｅｓ  Ｐｅｒ  Ｂｕｒｓｔの値は、送信ＳＴＡが所与のバースト中で送ることが可能であるフレーム数を示し得る。図５Ａのタイミング測定肯定応答フレームのフィールドＢｕｒｓｔ＿Ｐｅｒｉｏｄ  ＯＫの値は、対応する精密タイミング測定要求フレーム中に記載されるパラメータＢｕｒｓｔ  Ｐｅｒｉｏｄの受入れ、拒絶または変更を示し得る。Ｂｕｒｓｔ＿Ｐｅｒｉｏｄ  ＯＫの値は以下を示し得る。
１：Ｂｕｒｓｔ＿Ｐｅｒｉｏｄが受入れ可能である
０：より大きいＢｕｒｓｔ＿Ｐｅｒｉｏｄを選択するようにとの勧誘
[00079]  図４Ａおよび図５Ａに関して説明する特定の実装形態では、図５Ａに示す値またはパラメータは、精密タイミング測定要求メッセージ肯定応答フレーム中で送信ＳＴＡから受信ＳＴＡに送信され得る。受信ＳＴＡは、次いで、ＲＴＴを推定する際に図５Ａに示した値またはパラメータのうちの１つまたは複数を適用し得る。代替実装形態では、図５Ａに示す値またはパラメータが、（たとえば、ｔ１またはｔ４の測定値を含む）後続の精密タイミング測定メッセージの一部として送信ＳＴＡから受信ＳＴＡに送信され得る。受信ＳＴＡは、次いで、上記で説明したようにＲＴＴの測定値を計算する際に後続の精密タイミング測定メッセージ中で受信されたそのような値またはパラメータを適用し得る。
【００２９】
[00080]  以下で説明するように、特定の例示的な実施形態では、受信ＳＴＡから送信ＳＴＡに送信される精密タイミング測定要求メッセージは、精密タイミング測定要求メッセージに応答して受信ＳＴＡが受信ＳＴＡへの精密タイミング測定メッセージの送信をどのように望むかの１つまたは複数の態様を指定し得る。たとえば、図５Ｂのブロック５５２に示すように、受信ＳＴＡは、送信ＳＴＡに精密タイミング測定要求メッセージを送信し得る。送信された精密タイミング測定要求メッセージは、精密タイミング測定要求メッセージの受信に応答して送信ＳＴＡから送信されるべき精密タイミング測定メッセージのバースト中での複数の精密タイミング測定メッセージの送信のための１つまたは複数の態様を指定する少なくとも１つのフィールドを備え得る。特定の実装形態に関して以下で説明するように、バースト中での複数の精密タイミング測定メッセージの送信のためのそのような態様は、たとえば、バースト中で送信されるべき精密タイミング測定の数（たとえば、「Ｆｒａｍｅｓ  ｐｅｒ  Ｂｕｒｓｔ」）、受信ＳＴＡにおける精密タイミング測定要求メッセージの送信と応答する精密タイミング測定要求メッセージ肯定応答フレームの受信との間の最大許容時間（たとえば、「Ｔｉｍｅｏｕｔ」）、連続する精密タイミング測定メッセージまたはフレーム間の最小時間（たとえば、「Ｍｉｎ＿ｄｅｌｔａ＿Ｔ」）、バーストの持続時間（たとえば、「Ｂｕｒｓｔ  Ｐｅｒｉｏｄ」）または送信ＳＴＡにおける精密タイミング測定要求メッセージの受信と最初の精密タイミング測定メッセージの送信ＳＴＡからの送信との間の持続時間（たとえば、「Ｏｆｆｓｅｔ」）を備え得る。ただし、これらは、バースト中での複数の精密タイミング測定メッセージの送信のための態様の例にすぎず、請求する主題はこの点について限定されないことを理解されたい。
【００３０】
[00081]  一実施形態によれば、ブロック５５２において送信された精密タイミング測定要求メッセージは、図５Ｃのブロック５６４に示すように送信ＳＴＡにおいて受信され得る。送信ＳＴＡは、次いで、ブロック５６６において、精密タイミング測定要求メッセージの受信に応答して受信ＳＴＡに１つまたは複数の精密タイミング測定フレームを送信し得る。ブロック５６６において送信された精密タイミング測定フレームは、次いで、ブロック５５４において受信ＳＴＡによって受信され得る。ここで、ブロック５５４において受信された１つまたは複数の精密タイミング測定メッセージは、ブロック５５２において送信された精密タイミング測定要求メッセージ中の１つまたは複数の値に少なくとも部分的に基づいてブロック５６６において送信されていることがある。
【００３１】
[00082]  やはり、以下で説明するように、特定の例示的な実施形態では、受信ＳＴＡから送信ＳＴＡに送信される精密タイミング測定要求メッセージは、精密タイミング測定要求メッセージに応答して送信されるべき精密タイミング測定メッセージの少なくとも１つの物理的信号特性を指定し得る。そのような物理的信号特性は、たとえば、ほんの数例を挙げると、特定の周波数チャネル、信号符号化、送信電力レベル、信号極性、信号段階、チャネル分離（またはチャネル間隔）を含み得る。図５Ｄのブロック５７２において、たとえば、受信ＳＴＡは、精密タイミング測定要求メッセージに応答して送信ＳＴＡによって送信されるべき１つまたは複数の精密タイミング測定メッセージの少なくとも１つの物理的信号特性を指定する少なくとも１つのフィールドを備える精密タイミング測定要求フレームを送信し得る。ブロック５７２において送信される精密タイミング測定要求フレームは、次いで、図５Ｅのブロック５８２において送信ＳＴＡにおいて受信され、相応して処理され得る。ブロック５８２において送信ＳＴＡによって受信された精密タイミング測定要求メッセージの受信に応答して、送信ＳＴＡは、ブロック５７４における受信ＳＴＡによる受信のための１つまたは複数の精密タイミング測定フレームを送信し得る。
【００３２】
[00083]  図６Ａは、受信ＳＴＡが精密タイミング測定要求メッセージを送信する別の代替実施形態による、ワイヤレスＳＴＡ間のメッセージフローを示す図である。送信ＳＴＡは、図４Ａに示す精密タイミング測定要求メッセージの１つまたは複数の態様を組み込んだ精密タイミング測定要求メッセージに応答して精密タイミング測定要求メッセージ肯定応答フレーム（「精密タイミング測定ＡＣＫ」）を送信する。フィールドＴｉｍｅｏｕｔの値は、受信ＳＴＡにおける精密タイミング測定要求メッセージの送信と、受信ＳＴＡにおける応答する精密タイミング測定要求メッセージ肯定応答フレームの受信との間の最大許容時間として示されている。
【００３３】
[00084]  図６Ｂおよび図６Ｃに、図６Ａに示すメッセージフローの一実装形態による、それぞれ、受信ＳＴＡおよび送信ＳＴＡによって行われ得るアクションを説明する。ブロック６５２において、受信ＳＴＡは、送信ＳＴＡに精密タイミング測定要求メッセージまたはフレームをワイヤレス送信し得る。精密タイミング測定要求メッセージまたはフレームは、応答して送信ＳＴＡによって送信されるべき連続精密タイミング測定フレーム間の最小時間を定義する１つまたは複数の値を備え得る。これは、たとえば、図４Ａに記載されているフィールドＭｉｎ＿ｄｅｌｔａ＿ＦＴＭ中の値によって指定され得る。他の実装形態では、精密タイミング測定要求フレームまたはメッセージは、ほんの数例を挙げると、Ｔｒｉｇｇｅｒ、Ｔｉｍｅｏｕｔ、フィールドＦｒａｍｅｓ  ｐｅｒ  Ｂｕｒｓｔの値のうちの１つまたは複数を指定し得る。ブロック６５２において送信された精密タイミング測定要求メッセージまたはフレームに応答して、ブロック６５４において、受信ＳＴＡは、送信ＳＴＡからの連続する精密タイミング測定フレーム間の最小時間を定義する１つまたは複数の値に少なくとも部分的に基づいて送信される１つまたは複数の精密タイミング測定メッセージまたはフレームをワイヤレス受信し得る。受信ＳＴＡは、次いで、受信された精密タイミング測定フレームに少なくとも部分的に基づいてＲＴＴ測定値を計算し得る。
【００３４】
[00085]  ブロック６６２において、送信ＳＴＡは、ブロック６５２において、受信ＳＴＡによって送信された精密タイミング測定要求フレームを受信し、それに応答して、ブロック６６４において、受信ＳＴＡに精密タイミング測定フレームを送信し得る。すでに指摘したように、特定の例では、精密タイミング測定要求フレームは、精密タイミング測定メッセージの連続する送信間の少なくとも最小時間を指定する１つまたは複数の値を備え得る。一例では、ブロック６６４において送信された精密タイミング測定フレームは、受信された精密タイミング測定要求フレームの中に指定されたパラメータに少なくとも部分的に基づいて送信され得る。代替実装形態では、測定値は、送信ＳＴＡによって図５に示した値またはパラメータと組み合わされ、精密タイミング測定要求メッセージ肯定応答フレーム中で送信され得る。
【００３５】
[00086]  図６Ｄおよび図６Ｅに、図４Ｂに示した精密タイミング測定要求メッセージのフィールドの実装形態による、それぞれ、受信ＳＴＡおよび送信ＳＴＡによって行われ得るアクションを説明する。ブロック６７２において、受信ＳＴＡは、図４Ｂに示したＯｆｆｓｅｔフィールドなど、時間オフセット（time offset）を指定する少なくとも１つのフィールドを備える精密タイミング測定要求メッセージを送信ＳＴＡに送信し得る。指定された時間オフセットは、送信ＳＴＡにおける精密タイミング測定要求メッセージの受信と、精密タイミング測定要求メッセージの受信に応答した送信ＳＴＡからの（バースト中での複数の精密タイミング測定のうちの）最初の精密タイミング測定メッセージの送信ＳＴＡからの送信との間の持続時間を指定し得る。ブロック６７４において、受信ＳＴＡは、送信ＳＴＡから、時間オフセットを指定するフィールド中の値に少なくとも部分的に基づいて１つまたは複数の精密タイミング測定メッセージを受信し得る。
【００３６】
[00087]  ブロック６８２において、送信ＳＴＡは、（たとえば、送信されるべき複数の精密タイミング測定メッセージのうちの最初の精密タイミング測定メッセージの送信のための時間オフセットを指定する少なくとも１つのフィールドを備える）ブロック６７２において送信された精密タイミング測定要求メッセージなどの精密タイミング測定要求メッセージを受信ＳＴＡから受信し得る。ブロック６８４において、送信ＳＴＡは、精密タイミング測定要求フレームに応答して受信ＳＴＡに少なくとも精密タイミング測定フレームを送信し得る。
【００３７】
[00088]  図６Ｆおよび図６Ｇに、図４Ａおよび図４Ｂに示した精密タイミング測定要求メッセージのフィールドの実装形態による、それぞれ、受信ＳＴＡおよび送信ＳＴＡによって行われ得るアクションを説明する。ブロック６９２において、受信ＳＴＡは、精密タイミング測定要求メッセージに応答して、精密タイミング測定メッセージのバースト中で送信されるべき精密タイミング測定メッセージの要求数を指定する少なくとも１つのフィールド（たとえば、図４Ａおよび図４Ｂ中の「Ｆｒａｍｅｓ  ｐｅｒ  Ｂｕｒｓｔ」）を備える精密タイミング測定要求メッセージを送信ＳＴＡに送信し得る。ブロック６９４において、受信ＳＴＡは、送信ＳＴＡから、バースト中で送信されるべき精密タイミング測定の要求数を指定するフィールド中の値に少なくとも部分的に基づいて１つまたは複数の精密タイミング測定メッセージを受信し得る。
【００３８】
[00089]  ブロック７０２において、送信ＳＴＡは、（たとえば、精密タイミング測定要求メッセージへの応答中で送信されるべき精密タイミング測定メッセージの要求数を指定する１つまたは複数のフィールドを含む）ブロック６９２において受信ＳＴＡによって送信された精密タイミング測定要求メッセージなどの精密タイミング測定要求メッセージを受信し得る。ブロック７０４において、送信ＳＴＡは、精密タイミング測定メッセージのバースト中で送信されるべき精密タイミング測定の要求数を指定する、受信された精密タイミング測定要求メッセージ中の値に少なくとも部分的に基づいて受信ＳＴＡに少なくとも精密タイミング測定フレームを送信し得る。
【００３９】
[00090]  特定の実装形態では、送信ＳＴＡは、単一の精密タイミング測定要求メッセージに応答して受信ＳＴＡに精密タイミング測定の複数のバーストを与え得る。図６Ｈおよび図６Ｉに、図４Ａおよび図４Ｂに示した精密タイミング測定要求メッセージのフィールドの実装形態による、それぞれ、受信ＳＴＡおよび送信ＳＴＡによって行われ得るアクションを説明する。ブロック７１２において、受信ＳＴＡは、精密タイミング測定メッセージの連続バースト（consecutive burst）の最初の精密タイミング測定メッセージ間の要求時間期間を指定する少なくとも１つのフィールド（たとえば、「Ｂｕｒｓｔ  Ｐｅｒｉｏｄ」）を備える精密タイミング測定要求メッセージを送信ＳＴＡに送信し得る。ブロック７２４において、送信ＳＴＡは、要求時間期間を指定する、受信された精密タイミング測定要求メッセージ中の値に少なくとも部分的に基づいて受信ＳＴＡに少なくとも精密タイミング測定フレームを送信し得る。
【００４０】
[00091]  ブロック７２２において、送信ＳＴＡは、（たとえば、精密タイミング測定メッセージの連続バーストの最初の精密タイミング測定メッセージ間の要求時間期間を指定する少なくとも１つのフィールドを含む）ブロック７１２において受信ＳＴＡによって送信された精密タイミング測定要求メッセージなどの精密タイミング測定要求メッセージを受信し得る。ブロック７２４において、送信ＳＴＡは、精密タイミング測定メッセージの連続バーストの最初の精密タイミング測定メッセージ間の要求時間期間を指定する、受信された精密タイミング測定要求メッセージ中の値に少なくとも部分的に基づいて受信ＳＴＡに少なくとも精密タイミング測定フレームを送信し得る。
【００４１】
[00092]  図６Ｊおよび図６Ｋに、図４Ａおよび図４Ｂに示した精密タイミング測定要求メッセージなどの精密タイミング測定要求メッセージのフィールドの実装形態による、それぞれ、受信ＳＴＡおよび送信ＳＴＡによって行われ得るアクションを説明する。ブロック７３２において、受信ＳＴＡは、（図４Ａおよび図４Ｂ中の「Ｔｉｍｅｏｕｔ」フィールドなど）受信ＳＴＡにおける精密タイミング測定要求メッセージの送信と精密タイミング測定要求メッセージ肯定応答フレームの受信との間の最大時間を指定する少なくとも１つのフィールドを備える精密タイミング測定要求メッセージを送信ＳＴＡに送信し得る。最大時間を指定するそのような値はまた、「Ｔｉｍｅｏｕｔ」フィールドとして示され得る。ブロック７３４において、受信ＳＴＡは、精密タイミング測定要求メッセージの送信と精密タイミング測定要求メッセージ肯定応答フレームの受信との間の最大時間を指定するフィールドに少なくとも部分的に基づいて送信ＳＴＡから精密タイミング測定メッセージを受信し得る。
【００４２】
[00093]  ブロック７４２において、送信ＳＴＡは、（たとえば、受信ＳＴＡにおける精密タイミング測定要求メッセージの送信と精密タイミング測定要求メッセージ肯定応答フレームの受信との間の最大時間を指定する少なくとも１つのフィールドを含む）ブロック７３２において送信された精密タイミング測定要求メッセージなどの精密タイミング測定要求メッセージを受信し得る。ブロック７４４において、送信ＳＴＡは、ブロック７４２において受信された精密タイミング測定要求フレームの受信に応答して受信ＳＴＡに精密タイミング測定メッセージを送信し得る。
【００４３】
[00094]  図６Ｌおよび図６Ｍに、図４Ａおよび図４Ｂに示した精密タイミング測定要求メッセージのフィールドの実装形態による、それぞれ、受信ＳＴＡおよび送信ＳＴＡによって行われ得るアクションを説明する。ブロック７７２において、受信ＳＴＡは、精密タイミング測定要求メッセージへ応答して（たとえば、Ｍｉｎ＿ｄｅｌｔａ＿ＴまたはＭｉｎ＿ｄｅｌｔａ＿ＦＴＭの値として）送信されるべき連続する精密タイミング測定メッセージの送信間の最小持続時間（minimum time duration）を指定する少なくとも１つのフィールドを備える精密タイミング測定要求メッセージを送信ＳＴＡに送信し得る。ブロック７７４において、受信ＳＴＡは、送信ＳＴＡから、連続する精密タイミング測定メッセージ間の指定された最小持続時間に少なくとも部分的に基づいて１つまたは複数の精密タイミング測定フレームを受信し得る。
【００４４】
[00095]  ブロック７８２において、送信ＳＴＡは、（たとえば、精密タイミング測定要求メッセージへ応答して送信されるべき連続する精密タイミング測定メッセージの送信間の最小持続時間を指定する少なくともフィールドを含む）ブロック７７２において送信された精密タイミング測定要求メッセージなどの精密タイミング測定要求メッセージを受信し得る。ブロック７８４において、送信ＳＴＡは、次いで、ブロック７８２における精密タイミング測定要求メッセージの受信に応答して受信ＳＴＡに少なくとも１つの精密タイミング測定メッセージを送信し得る。
【００４５】
[00096]  図６Ｂ〜図６Ｍに関して上記で説明したプロセスは、受信ＳＴＡから送信ＳＴＡへの精密タイミング測定要求メッセージの送信と、それに続く、精密タイミング測定要求メッセージの受信に応答して送信ＳＴＡからの１つまたは複数の精密タイミング測定メッセージの送信とを対象とする。他の実装形態では、送信ＳＴＡは、たとえば、受信された精密タイミング測定要求メッセージのフィールド中に指定されているように、送信ＳＴＡが精密タイミング測定メッセージを与えることが可能であるかどうかを示すために、図５Ａに示したものなどの精密タイミング測定要求メッセージ肯定応答フレームを送信し得る。
【００４６】
[00097]  図７Ａは、（図５Ａに示す精密タイミング測定要求メッセージ肯定応答フレームの代わりに送信され得る）到着時間フィールドＴＯＡと出発時間フィールドＴＯＤとを含む実施形態による、ハイブリッド精密タイミング測定要求メッセージ肯定応答フレーム中のフィールドを示す図である。ハイブリッド精密タイミング測定要求メッセージ肯定応答フレーム中で受信されたフィールドＴＯＡおよびまたはＴＯＤの値を使用して、受信ＳＴＡはＲＴＴ（または計算されたＲＴＴに基づく距離）を計算し得る。ここで、図５Ａに示す精密タイミング要求メッセージ測定肯定応答メッセージの１つまたは複数の態様は、図７Ｂのメッセージフローに示すように、バースト中の最初のＲＴＴ測定値を取得するために１つ少ないメッセージが送信ＳＴＡから受信ＳＴＡに送信され得るように精密タイミング測定メッセージと組み合わされ得る。
【００４７】
[00098]  図８は、受信ＳＴＡが送信ＳＴＡにＲＴＴ測定値を与えるか、またはフィードバックし得るメッセージフローを示す図である。精密タイミングＲＴＴフィードバックメッセージのフィールドの一例を図９Ａに示す。すでに指摘したように、受信ＳＴＡは、送信ＳＴＡから受信された精密タイミング測定メッセージまたはフレーム中で与えられたタイムスタンプ値（ｔ１，ｔ４）に少なくとも部分的に基づいて少なくとも部分的に基づいて、ＲＴＴ測定値を計算し得る。ここで、送信ＳＴＡにおいて受信された精密タイミングＲＴＴフィードバックメッセージ中の計算されたＲＴＴ測定値（またはＲＴＴから計算された距離）は、受信ＳＴＡと送信ＳＴＡとの間の距離を計算または決定するために送信ＳＴＡによって使用され得る。
【００４８】
[00099]  図９Ｂおよび図９Ｃに、図８に示すメッセージフローの一実装形態による、それぞれ、受信ＳＴＡおよび送信ＳＴＡによって行われ得るアクションを説明する。ブロック９０２において、受信ＳＴＡは、送信ＳＴＡに精密タイミング測定要求メッセージまたはフレームをワイヤレス送信し得る。送信ＳＴＡは、ブロック９３２において、送信された精密タイミング測定要求メッセージまたはフレームを受信し、ブロック９３２における精密タイミング測定要求フレームの受信に応答して、ブロック９３４において、受信ＳＴＡに、タイミング測定値（たとえば、ｔ１およびｔ４）を含んでいる１つまたは複数の精密タイミング測定メッセージをワイヤレス送信し得る。ブロック９３４において（ブロック９０２において送信された精密タイミング測定要求フレームに応答して）送信されたタイミング測定を備える精密タイミング測定メッセージが、ブロック９０４において、受信ＳＴＡにおいて受信され得る。受信ＳＴＡは、次いで、上記で説明した技法を使用して、ブロック９０４において受信されたタイミング測定値に少なくとも部分的に基づいて、ブロック９０６において信号ＲＴＴ測定値を計算し得る。受信ＳＴＡは、次いで、たとえば、測位演算において送信ＳＴＡが使用するために、（たとえば、図９Ａに示す精密タイミングＲＴＴフィードバックメッセージ中で）ブロック９０８において送信ＳＴＡに、ブロック９０６において計算されたＲＴＴ測定値をワイヤレス送信し得る。ブロック９３６において、送信ＳＴＡは、送信ＳＴＡにおける測位演算において使用するためにブロック９０８において送信され（ブロック９３４において送信されたタイミング測定値に少なくとも部分的に基づいて計算された）ＲＴＴ測定値を備える１つまたは複数のメッセージを受信し得る。代替実装形態では、受信ＳＴＡは、ブロック９０２において、図４Ａに示すフィールド中で与えられるパラメータとは異なるパラメータを指定する精密タイミング測定要求フレームを送信し得る。たとえば、タイムアウト期間は、Ｔｉｍｅｏｕｔフィールド中に指定され得、Ｔｒｉｇｇｅｒフィールドは、（たとえば、図１０Ａのメッセージフロー図に示すように）精密タイミング測定要求フレームの受信時に、または精密タイミング測定メッセージのバーストの過程において受信ＳＴＡからの肯定応答フレームの受信時に精密タイミング測定要求メッセージ肯定応答フレームを送信する際の送信ＳＴＡにおける固定遅延を説明するためにＳＩＦＳを指定し得る。図１０Ａは、（たとえば、ブロック９０８において送信された）計算されたＲＴＴ測定値を送信ＳＴＡに与える精密タイミングＲＴＴフィードバックメッセージをも含む例示的なメッセージフローを示す図である。
【００４９】
[000100]  図９Ｄおよび図９Ｅに、図１０Ａに示すメッセージフローの一実装形態による、それぞれ、受信ＳＴＡおよび送信ＳＴＡによって行われ得るアクションを説明する。ブロック９５２において、受信ＳＴＡは、受信ＳＴＡと送信ＳＴＡとの間のメッセージの以前の交換に少なくとも部分的に基づいて以前に計算されたＲＴＴ測定値を指定する少なくとも１つのフィールドを含む精密タイミング測定要求メッセージを送信ＳＴＡに送信し得る。受信ＳＴＡは、続いて、ブロック９５４において、精密タイミング測定要求メッセージの受信に応答して送信ＳＴＡによって送信された精密タイミング測定を受信し得る。
【００５０】
[000101]  ブロック９６２において、送信ＳＴＡは、（以前に計算されたＲＴＴを指定する少なくとも１つフィールドを含む）ブロック９６２において送信された精密タイミング測定要求メッセージなどの精密タイミング測定要求メッセージを受信し得る。ここで、送信ＳＴＡは、受信された精密タイミング測定要求メッセージ中のフィールドから、送信ＳＴＡと受信ＳＴＡとの間のメッセージの以前の交換に少なくとも部分的に基づいて受信ＳＴＡにおいて計算されたＲＴＴ測定値を抽出し得る。ブロック９６４において、送信ＳＴＡは、次いで、ブロック９６２における精密タイミング測定要求メッセージの受信に応答して受信ＳＴＡに精密タイミング測定要求メッセージ肯定応答フレームを送信し得る。
【００５１】
[000102]  図１０Ｂは、代替実施形態による、精密タイミング測定要求フレーム中のフィールドを示す図である。フィールド「Ｃａｔｅｇｏｒｙ」、「Ａｃｔｉｏｎ」、「Ｔｒｉｇｇｅｒ」、「Ｍｉｎ  ｄｅｌｔａ  Ｔ」、「Ｔｉｍｅｏｕｔ」、「Ｆｒａｍｅｓ  ｐｅｒ  Ｂｕｒｓｔ」および「Ｂｕｒｓｔ  Ｐｅｒｉｏｄ」の値は、図４Ａの精密タイミング測定要求フレーム中の同様の名前のフィールドと同じ意味および効果を有し得る。しかしながら、図１０Ｂの特定の代替実施形態は、追加のフィールドの「Ｏｆｆｓｅｔ」、「Ｐｒｅｖｉｏｕｓ  ＲＴＴ  ｖａｌｕｅ」および「Ｃｈａｎｎｅｌ」を含む。代替実装形態は、請求する主題から逸脱することなく、これらの追加のフィールドのうちの１つ、２つまたは３つすべてを実装し得る。
【００５２】
[000103]  フィールド「Ｏｆｆｓｅｔ」は、（たとえば、精密タイミング測定要求フレームの受信に続く）設定時間からの精密タイミング測定メッセージの送信の開始における要求時間オフセットを指定し得る。特定のシナリオでは、単一の受信ＳＴＡが、複数の異なる送信ＳＴＡに精密タイミング測定要求フレームを送信し得る。異なる精密タイミング測定要求フレーム中の「Ｏｆｆｓｅｔ」フィールドに異なる値を指定することは、たとえば、衝突する精密タイミング測定要求メッセージ肯定応答フレームまたは精密タイミング測定フレームを複数の送信ＳＴＡから単一の受信ＳＴＡに送信するのを防ぐのに有用であり得る。特定の実装形態では、「Ｏｆｆｓｅｔ」フィールドの値は、精密タイミング測定要求フレームの受信から、精密タイミング測定要求フレームに応答して送信されるバースト中での最初の精密タイミング測定フレームの送信までのオフセット持続時間を指定し得る。
【００５３】
[000104]  フィールド「Ｃｈａｎｎｅｌ」は、受信ＳＴＡが受信側送信ＳＴＡに応答メッセージ（たとえば、精密タイミング測定要求メッセージ肯定応答フレームまたは精密タイミング測定フレーム）を要求する特定の周波数チャネルを指定し得る。これはまた、衝突する精密タイミング測定要求メッセージ肯定応答フレームまたは衝突する精密タイミング測定フレームを複数の送信ＳＴＡから単一の受信ＳＴＡに送信するのを妨げ得る。
【００５４】
[000105]  フィールド「Ｐｒｅｖｉｏｕｓ  ＲＴＴ  ｖａｌｕｅ」は、送信ＳＴＡに受信ＳＴＡにおいて以前に計算されたＲＴＴ値を（たとえば、０．１ｎｓの単位で）示すか、またはＲＴＴから計算された距離を示し得る。たとえば、以前に計算されたＲＴＴ値は、送信ＳＴＡと受信ＳＴＡとの間のメッセージの最近の交換に少なくとも部分的に基づいて計算され得る。受信側送信ＳＴＡは、次いで、それ自体の測位演算に以前に計算されたＲＴＴ値を採用し得る。
【００５５】
[000106]  図１０Ｂの精密タイミング測定要求フレーム中の追加のフィールドが拡張能力を可能にし得るが、受信ＳＴＡがこれらの能力を必ずしも実装するとは限らないことがある。ここで、「Ｔｒｉｇｇｅｒ」フィールド中の値は、もしあればどの特徴が採用されるのかを指定するために使用され得る。これにより、受信側送信ＳＴＡは、精密タイミング測定要求メッセージの特定のフィールド中の値を適切に解釈することが可能になり得る。図１０Ｃは、一実施形態による、（たとえば、図１０Ｂに示した）精密タイミング測定要求フレーム中のトリガフィールド中の値の定義を示す図である。たとえば、「ＲＴＴ  Ｖａｌｕｅ  ｖａｌｉｄ」位置中の「１」は、「Ｐｒｅｖｉｏｕｓ  ＲＴＴ  ｖａｌｕｅ」フィールド中の値が有効であることを示し得る。「Ｏｆｆｓｅｔ  ｖａｌｉｄ」位置中の「１」の値は、「Ｏｆｆｓｅｔ」フィールド中の値が有効であることを示し得る。「Ｂｕｒｓｔ  Ｐｅｒｉｏｄ  ｖａｌｉｄ」位置中の「１」は、「Ｂｕｒｓｔ  Ｐｅｒｉｏｄ」フィールド中の値が有効であることを示し得る。「Ｔｉｍｅｏｕｔ  ｖａｌｉｄ」位置中の「１」の値は、「Ｔｉｍｅｏｕｔ」フィールド中の値が有効であることを示し得る。「Ｍｉｎ  ｄｅｌｔａ  Ｔ  ｖａｌｉｄ」位置中の「１」の値は、「Ｍｉｎ  ｄｅｌｔａ  Ｔ」フィールド中の値が有効であることを示し得る。「Ｎｏｔ  ａｕｔｈｏｒｉｚｅｄ」フィールド中の「１」の値は、受信ＳＴＡが複数回拒否されたときに送信ＳＴＡによって１に設定される。受信ＳＴＡによって中に設定される値は、０または１のいずれかであり得る。
【００５６】
[000107]  図１０Ｄは、一実施形態による、（たとえば、図１０Ｂに示した）精密タイミング測定要求フレーム中のトリガフィールド中の値の定義を示す図である。ビット「Ｆｒａｍｅｓ  ｐｅｒ  ｂｕｒｓｔ  ｖａｌｉｄ／ａｃｃｅｐｔ」は、「Ｆｒａｍｅｓ  ｐｅｒ  ｂｕｒｓｔ」フィールド中の値が有効であるまたは容認されるのかどうかを示し得る。ビット「Ｏｆｆｓｅｔ  ｖａｌｉｄ／ａｃｃｅｐｔ」は、「Ｏｆｆｓｅｔ」フィールド中の値が有効であるまたは容認されるのかどうかを示し得る。ビット「Ｂｕｒｓｔ  Ｐｅｒｉｏｄ  ｖａｌｉｄ／ａｃｃｅｐｔ」は、「Ｂｕｒｓｔ  Ｐｅｒｉｏｄ」フィールド中の値が有効であるまたは容認されるのかどうかを示し得る。ビット「Ｔｉｍｅｏｕｔ  ｖａｌｉｄ／ａｃｃｅｐｔ」は、「Ｔｉｍｅｏｕｔ」フィールド中の値が有効であるまたは容認されるのかどうかを示し得る。ビット「Ｍｉｎ  ｄｅｌｔａ  Ｔ  ｖａｌｉｄ／ａｃｃｅｐｔ」は、「Ｍｉｎ  ｄｅｌｔａ  Ｔ」フィールド中の値が有効であるまたは容認されることを示し得る。
【００５７】
[000108]  ビット「Ｒｅｊｅｃｔｅｄ」は、精密タイミング測定要求メッセージが送信ＳＴＡによって拒否されることを示すために使用され得る。送信ＳＴＡは、精密タイミング測定要求メッセージに関して受信ＳＴＡに任意の数の状況を示すためにビット「Ｅｎａｂｌｅ」と組み合わせてビット「Ｒｅｊｅｃｔｅｄ」を使用し得る。たとえば、「Ｒｅｊｅｃｔｅｄ」を１に設定し、「Ｅｎａｂｌｅ」を０に設定すると、受信ＳＴＡが複数回拒否されたことを示し得る。「Ｒｅｊｅｃｔｅｄ」ビットと「Ｅｎａｂｌｅ」ビットの両方を１に設定すると、受信ＳＴＡがＢｕｒｓｔ  Ｐｅｒｉｏｄの持続時間の後で再び試みることになることを示し得る。
【００５８】
[000109]  図１０Ｅおよび図１０Ｇは、代替実施形態による、受信ＳＴＡからの精密タイミング測定要求メッセージの受信に応答して送信ＳＴＡによって送信されたハイブリッド精密タイミング測定要求メッセージ肯定応答フレーム中のフィールドを示す図である。この特定の実装形態では、フィールド「Ｔｒｉｇｇｅｒ」および「Ｆｒａｍｅｓ  ｐｅｒ  Ｂｕｒｓｔ」中の値は、送信ＳＴＡの能力を示し得る。たとえば、「Ｆｒａｍｅｓ  ｐｅｒ  Ｂｕｒｓｔ」フィールドは、送信ＳＴＡが所与のバースト中で送信することが可能であるフレームの数を示し得る。「Ｔｒｉｇｇｅｒ」フィールドのビット位置中の値は、図１０Ｂに示した「Ｔｒｉｇｇｅｒ」フィールドの実施形態に記載されているように、「Ｏｆｆｓｅｔ」、「Ｍｉｎ  ｄｅｌｔａ  Ｔ」、「Ｔｉｍｅｏｕｔ」、「Ｆｒａｍｅｓ  ｐｅｒ  Ｂｕｒｓｔ」などのいくつかの特徴を実装または実施する送信ＳＴＡの能力を示し得る。
【００５９】
[000110]  図１０Ｆは、代替実施形態による、受信ＳＴＡからの精密タイミング測定要求メッセージの受信に応答して送信ＳＴＡによって送信されたハイブリッド精密タイミング測定要求メッセージ肯定応答フレームのフィールドを示す図である。特定の実装形態では、ＴＯＤ予約済みフィールド中の「Ｔｒｉｇｇｅｒ」フィールドは、精密タイミング測定セッションを介した制御をアサートするために送信ＳＴＡによって使用され得る。ここで、送信ＳＴＡは、新しい「Ｌｅｎｇｔｈ」、「Ｍｉｎ  ｄｅｌｔａ  Ｔ」および／または「Ｂｕｒｓｔ  Ｐｅｒｉｏｄ」を指定するために適切なフィールドを使用し得る。
【００６０】
[000111]  図１０Ｇのハイブリッド精密タイミング測定要求メッセージ肯定応答フレームの特定の実装形態は、精密タイミング測定要求メッセージに応答して送信される肯定応答メッセージにおいて必ずしも有用であるとは限らないことがあるフィールド「Ｍａｘ  ＴＯＤ  Ｅｒｒｏｒ」、「Ｍａｘ  ＴＯＡ  Ｅｒｒｏｒ」、「ＴＯＡ」および「ＴＯＤ」を除外する。代替ハイブリッド精密タイミング測定肯定応答フレームの適用例を、図１０Ｈのメッセージフロー図の受信ＳＴＡから受信された精密タイミング測定要求メッセージの受信に応答して送信ＳＴＡによって送信される第２のメッセージで示す。
【００６１】
[000112]  図１９に、代替実施形態による、精密タイミング測定フレームのための例示的なフォーマット中のフィールドを示す。図示のように、フィールドＴＯＡおよびＴＯＤは４８ビットを備える。特定の実装形態では、送信ＳＴＡは、ローリングカウンタ（rolling counter）を使用して０．１ナノ秒刻みの４８ビット表現としてＴＯＡとＴＯＤとを表し得る。ローリングカウンタが、ＴＯＡまたはＴＯＤのいずれかについて４８ビット表現の最大値を超えると、カウンタは、「ラップアラウンド（wrap around）」し、４８ビット表現の最小値またはゼロ値でカウントを開始し得る。追加のフィールド「ＴＯＤ  ｎｏｔ  ｃｏｎｔｉｎｕｏｕｓ」は、関連する「ＴＯＤ」フィールド中に与えられる値が前のフレーム中のＴＯＤ値に連続しないことを受信側受信ＳＴＡに示し得る。これは、たとえば、前のフレーム中のＴＯＤ値に続いて、現在の精密タイミング測定フレーム中のＴＯＤ値の前に、送信ＳＴＡにおけるローリングカウンタがラップアラウンドする場合に行われ得る。同様に、追加のフィールド「ＴＯＡ  ｎｏｔ  ｃｏｎｔｉｎｕｏｕｓ」は、関連する「ＴＯＡ」フィールド中に与えられる値が前のフレーム中のＴＯＡ値に連続しないことを受信側受信ＳＴＡに示し得る。これは、たとえば、前のフレーム中のＴＯＡ値に続いて、現在の精密タイミング測定フレーム中のＴＯＡ値の前に、送信ＳＴＡにおけるローリングカウンタがラップアラウンドする場合に行われ得る。
【００６２】
[000113]  一実施形態によれば、測位演算において使用されるアクセスポイントは、複数の周波数チャネル上で特定のクライアントデバイスを探索し得る。異なるチャネル間の切替えは、アクセスポイントの処理リソースにとって負担になり得る。特定の実装形態では、アクセスポイントは、特定の周波数チャネル上で通信するユーザクライアントデバイスの存在または不在に関する指示をもつビーコン信号を送信し得る。これにより、近隣アクセスポイントは、ユーザクライアントデバイスが特定のチャネル上で通信する可能性が低い場合に特定のチャネル上でユーザクライアントデバイスを探索することを回避するビーコン信号の受信が可能になり得る。
【００６３】
[000114]  例示的な一実装形態では、ビーコン信号の一部は、次のようにフィールドを用いてフォーマットされ得る。
Ｌｅｎｇｔｈ、Ｃｈａｎｎｅｌ  ｊ、Ｕｓｅｒｓ  ｊ、Ｃｈａｎｎｅｌ  ｋ、Ｕｓｅｒｓ  ｋ、Ｃｈａｎｎｅｌ  ｌ、Ｕｓｅｒｓ  ｌ、Ｃｈａｎｎｅｌ  ｍ、Ｕｓｅｒｓ  ｍ。
【００６４】
[000115]  ここで、「Ｌｅｎｇｔｈ」は、受信側アクセスポイントが残余フィールドをパースすることを可能にするという指示があるチャネル数を示す。この特定の例では、４つのチャネル、チャネルｊ、ｋ、ｌおよびｍのための指示がある。チャネルごとに、Ｕｓｅｒｓ  ｊ、Ｕｓｅｒｓ  ｋ、Ｕｓｅｒｓ  ｌおよびＵｓｅｒｓ  ｍとして示される、特定の対応するチャネル上のユーザ数の指示がある。
【００６５】
[000116]  図１０Ｉは、代替実施形態による、フローを示す図である。この特定の実装形態では、精密タイミング測定要求メッセージ中の「ｏｆｆｓｅｔ」は、送信ＳＴＡにおける（受信ＳＴＡによって送信された）精密タイミング測定要求フレームの受信と送信ＳＴＡからの応答する精密タイミング測定メッセージの送信との間の持続時間を指定する。これにより、たとえば、送信ＳＴＡにおける精密タイミング測定要求メッセージの受信に関するバーストの送信の時間など、他の送信時間までのオフセット持続時間のより厳密な照合が可能になり得る。さらに、精密タイミング測定要求フレーム中のフィールド「Ｍｉｎ＿ｄｅｌｔａ＿ＦＴＭ」または「Ｍｉｎ＿ｄｅｌｔａ＿Ｔ」のこの特定の実装形態の値は、次に、送信ＳＴＡにおける肯定応答メッセージの受信および受信ＳＴＡから受信された肯定応答メッセージに応答した精密タイミング測定メッセージの送信からの所望のまたは要求された最小持続時間を指定する。
【００６６】
[000117]  図１０Ｊは、代替実施形態による、精密タイミング測定要求メッセージのフィールドを示す図である。この特定の実装形態では、フィールド「Ｌｅｎｇｔｈ」の値は、バイト単位で精密タイミング測定要求メッセージの長さを指定し得る。フィールド「Ｍｉｎ＿ｄｅｌｔａ＿ＦＴＭ」および「Ｏｆｆｓｅｔ」の値は、特に重要または有用であると見なされ、「Ｌｅｎｇｔｈ」フィールドの直後にき得る。したがって、「Ｌｅｎｇｔｈ」フィールドは、依然としてフィールド「Ｍｉｎ＿ｄｅｌｔａ＿ＦＴＭ」および「Ｏｆｆｓｅｔ」を含むが、フィールド「Ｂｕｒｓｔ  Ｐｅｒｉｏｄ」、「Ｆｒａｍｅｓ  ｐｅｒ  Ｂｕｒｓｔ」および「Ｔｉｍｅｏｕｔ」を除外する精密タイミング測定要求メッセージの切り捨て（truncation）を指定し得る。図１０Ｋは、図１０Ｌに示す精密タイミング測定要求メッセージの代替実装形態に示すフィールドの順序による精密タイミング測定フレーム中のトリガフィールドの定義を示す図である。同様に、図１０Ｌは、一実施形態による、図１０Ｌに示す精密タイミング測定要求フレームの代替実装形態に示すフィールドの順序によるトリガフィールドの定義を含むハイブリッド精密タイミング測定要求メッセージ肯定応答フレーム中のフィールドを含む定義を示す図である。
【００６７】
[000118]  図１０Ｍは、一実施形態による、精密タイミング測定要求メッセージのフィールドを示す図である。フィールドＭｉｎ＿ｄｅｌｔａ＿ＦＴＭは、連続する精密タイミング測定フレーム間の最小時間を示し得る。フィールドＢｕｒｓｔ  Ｔｉｍｅｏｕｔ中の値は、受信ＳＴＡ（たとえば、図１０Ｎ中のＳＴＡ２）が電力を節約するためにオフチャネルまたはスリープに移行することが許可され得る持続時間を指定し得る。この値は、たとえば、Ｂｕｒｓｔ  Ｐｅｒｉｏｄ中に示される値のパーセンテージとしてまたはｍｓの単位で表され得る。ＦＴＭ１  Ｔｉｍｅｏｕｔの値は、受信ＳＴＡ（たとえば、図１０Ｎ中のＳＴＡ２）が、精密タイミング測定要求メッセージの送信に続いて第１の精密タイミング測定メッセージを受信するのをどのくらいの時間待つべきかを示し得る。フィールドＭＣＳ中の値は、精密タイミング測定を与えるための変調およびコーディング方式を示し得る。例示的な一実装形態では、より大きい変調およびコーディング方式は、ロバスト性が低く、再送信が必要になる可能性が高いより短いフレームを示し得る。ＢＷの値は、精密タイミング測定フレームを送信すべき帯域幅を示し得る（たとえば、２０ＭＨｚ、４０ＭＨｚ、８０ＭＨｚまたは１６０ＭＨｚを指定する）。
【００６８】
[000119]  図１０Ｎは、一代替実施形態による、メッセージフローを示す図である。ここで、図１０Ｍに示した精密タイミング測定要求メッセージのＢｕｒｓｔ  Ｏｆｆｓｅｔフィールド中の値によって決定される、送信ＳＴＡにおける精密タイミング測定要求メッセージの受信から精密タイミング測定要求メッセージに応答した精密タイミング測定メッセージのバースト中での最初の精密タイミング測定メッセージの送信までのオフセットが決定され得る。受信ＳＴＡはまた、すでに指摘したようにバースト中での精密タイミング測定メッセージと肯定応答との交換に少なくとも部分的に基づいてラウンドトリップ時間を計算し得る。
【００６９】
[000120]  ＳＴＡは、ブロードキャストフレームまたは個々にアドレス指定されたフレームとして精密タイミング測定要求フレームを送信し得る。ＦＴＭをサポートし、ブロードキャスト精密タイミング測定要求フレームを受信するＳＴＡが、精密タイミング測定要求メッセージ中に含まれるパラメータを受け入れない場合、ＳＴＡは、精密タイミング測定応答フレームのみを送り得る。
【００７０】
[000121]  精密タイミング測定の交換をサポートし、個々にアドレス指定された精密タイミング測定要求メッセージを受信するＳＴＡは、精密タイミング測定フレームで応答し得る。新しい精密タイミング測定要求フレームの受信が成功したとき、ＳＴＡは、前に受信されたあらゆる精密タイミング測定要求フレームを新しいフレームでオーバーライドし得る。精密タイミング測定要求メッセージ中に含まれるすべての精密タイミング測定パラメータサブ要素が送信ＳＴＡ上で正常に構成されている場合、送信ＳＴＡは、精密タイミング測定応答フレーム中に、成功を示す単一の精密タイミング測定ステータスサブ要素を含め得る。構成が成功したとき、送信ＳＴＡは、精密タイミング測定要求フレームパラメータに少なくとも部分的に基づいて精密タイミング測定フレームを送信することを開始し得る。１つまたは複数の精密タイミング測定パラメータサブ要素が送信ＳＴＡにおいて正常に構成されなかった場合、送信ＳＴＡは、以下で説明するようにサブ要素ＩＤと、ステータス値と、対応する精密タイミング測定パラメータサブ要素とを示す、失敗したサブ要素ごとの精密タイミング測定ステータスサブ要素を精密タイミング測定応答フレーム中に含め得る。
【００７１】
[000122]  図１０Ｏは、一実施形態による、精密タイミング測定要求メッセージのフィールドを示す図である。ここで、フィールド「Ｄｉａｌｏｇ  Ｔｏｋｅｎ」は、特定の宛先ＭＡＣアドレスに送信された精密タイミング測定要求メッセージの中の送信された精密タイミング測定要求メッセージに特有のものである非ゼロ値を示し得る。これにより、精密タイミング測定要求メッセージに応答しているＳＴＡは、応答メッセージがそれのＤｉａｌｏｇ  Ｔｏｋｅｎとして非ゼロ値を用いて精密タイミング測定要求メッセージに応答していることを示すために応答メッセージ中に同じ非ゼロ値を含めることが可能になり得る。ＦＴＭ  Ｉｎｄｉｃａｔｉｏｎ  Ｐａｒａｍｅｔｅｒｓは、測定値をどのように取得すべきかを示すために複数のフィールドを含み得る。特定の例、実装形態では、図１０Ｐに、ＦＴＭ  Ｉｎｄｉｃａｔｉｏｎ  Ｐａｒａｍｅｔｅｒｓをフィールド「Ｌｅｎｇｔｈ」〜「ＦＴＭ１  Ｔｉｍｅｏｕｔ」として示す。
【００７２】
[000123]  フィールドＦＴＭ  Ｉｎｄｉｃａｔｉｏｎ  Ｃｈａｎｎｅｌｓは、精密タイミング測定要求メッセージへの応答メッセージ中で送信される精密タイミング測定メッセージの送信のために所望の周波数チャネルを指定し得る。これは、図１０Ｍの精密タイミング測定要求メッセージ中のフィールドＢＷの代替物として実装され得る。フィールドＦＴＭ  Ｉｎｄｉｃａｔｉｏｎ  Ｂｒｏａｄｃａｓｔ  Ｄａｔａ  Ｒａｔｅは、精密タイミング測定要求メッセージに応答して精密タイミング測定メッセージを送信するための所望のデータレートを示し得る。
【００７３】
[000124]  図１０Ｐおよび図１０Ｑに示す精密タイミング測定要求メッセージは、送信ＳＴＡによって与えられるべき精密タイミング測定メッセージの要求バースト数を指定するフィールド「Ｎｕｍｂｅｒ  ｏｆ  ｂｕｒｓｔｓ」を含む。図１０Ｑおよび図１０Ｒに、図１０Ｐおよび図１０Ｓに示した精密タイミング測定要求メッセージのフィールドの実装形態による、それぞれ、受信ＳＴＡおよび送信ＳＴＡによって行われ得るアクションを説明する。ブロック９５２において、受信ＳＴＡは、精密タイミング測定要求メッセージに応答して送信ＳＴＡによって送信されるべき精密タイミング測定メッセージのバースト数を指定する少なくとも１つのフィールドを備える精密タイミング測定要求メッセージを送信ＳＴＡに送信し得る。ブロック９５４において、受信ＳＴＡは、送信ＳＴＡから、ブロック９５２において受信された精密タイミング測定要求メッセージ中に示されたバーストの指定数に少なくとも部分的に基づいて１つまたは複数の精密タイミング測定メッセージを受信し得る。
【００７４】
[000125]  ブロック９６２において、送信ＳＴＡは、（たとえば、精密タイミング測定要求メッセージに応答して送信ＳＴＡによって送信されるべき精密タイミング測定メッセージのバースト数を指定する少なくとも１つのフィールドを含む）ブロック９５２において送信された精密タイミング測定要求メッセージなどの精密タイミング測定要求メッセージを受信することをメイする。ブロック９６４において、送信ＳＴＡは、次いで、ブロック９６２における精密タイミング測定要求メッセージの受信に応答して受信ＳＴＡに少なくとも１つの精密タイミング測定メッセージを送信し得る。
【００７５】
[000126]  一実施形態による、受信ＳＴＡなどの別のＳＴＡに精密タイミング測定要求メッセージを送信するＳＴＡは、「開始ＳＴＡ」と呼ばれることがある。同様に、送信ＳＴＡなど、精密タイミング測定要求メッセージに応答して精密タイミング測定メッセージを与えるＳＴＡは、「応答ＳＴＡ」と呼ばれることがある。
【００７６】
[000127]  すでに指摘したように、開始ＳＴＡは、精密タイミング測定要求メッセージ中のフィールドを変化および／または適合させ得る。図１０Ｓは、特定の代替実施形態による、「Ｓｕｂｅｌｅｍｅｎｔ  ＩＤ」フィールドに続く、精密タイミング測定要求メッセージ中の「ＦＴＭ  Ｉｎｄｉｃａｔｉｏｎ  Ｐａｒａｍｅｔｅｒｓ」（たとえば、Ｎｕｍｂｅｒ  ｏｆ  ｂｕｒｓｔｓ、Ｆｒａｍｅｓ  ｐｅｒ  Ｂｕｒｓｔ、Ｂｕｒｓｔ  Ｔｉｍｅｏｕｔ、Ｂｕｒｓｔ  Ｐｅｒｉｏｄ、Ｍｉｎ＿ｄｅｌｔａ＿ＦＴＭ、ＦＴＭ１  Ｔｉｍｅｏｕｔなど、精密タイミング測定の配信を特徴づけるフィールド中のパラメータ）を構成するフィールドを示す図である。フィールド「Ｓｕｂｅｌｅｍｅｎｔ  ＩＤ」により、開始ＳＴＡは、精密タイミング測定要求メッセージ中のフィールドを変化および／または適合させることが可能になり得る。これにより、精密タイミング測定要求メッセージを受信する応答ＳＴＡは、受信された精密タイミング測定要求メッセージ中のフィールドを適切にパースすることが可能になり得る。以下の表Ｉに示されているように、特定の実装形態では、Ｓｕｂｅｌｅｍｅｎｔ  ＩＤの「１」の値は、ＦＴＭ  Ｉｎｄｉｃａｔｉｏｎ  Ｐａｒａｍｅｔｅｒｓを含むべきであることを示し得る。Ｓｕｂｅｌｅｍｅｎｔ  ＩＤの「２」の値は、ＦＴＭ  Ｉｎｄｉｃａｔｉｏｎ  Ｃｈａｎｎｅｌｓ（たとえば、精密タイミング測定メッセージを送信することが要求される周波数チャネル）が精密タイミング測定要求メッセージ中に含まれることと、ＦＴＭ  Ｉｎｄｉｃａｔｉｏｎ  ＰａｒａｍｅｔｅｒｓとＦＴＭ  Ｉｎｄｉｃａｔｉｏｎ  Ｂｒｏａｄｃａｓｔ  Ｄａｔａ  Ｒａｔｅとが除外されるべきであることとを示し得る。Ｓｕｂｅｌｅｍｅｎｔ  ＩＤの「４」の値は、ＦＴＭ  Ｉｎｄｉｃａｔｉｏｎ  Ｂｒｏａｄｃａｓｔ  Ｄａｔａ  Ｒａｔｅが精密タイミング測定要求メッセージ中に含まれるべきであることと、ＦＴＭ  Ｉｎｄｉｃａｔｉｏｎ  ＣｈａｎｎｅｌｓとＦＴＭ  Ｉｎｄｉｃａｔｉｏｎ  Ｂｒｏａｄｃａｓｔ  Ｄａｔａ  Ｒａｔｅとが除外されるべきであることとを示し得る。これを、特定の例による以下の表ＩおよびＩＩに要約する。
【００７７】
【表１】
0006437533.tif 000002
【００７８】
【表２】
0006437533.tif 000003
【００７９】
[000128]  図１０Ｔは、一実施形態による、精密タイミング測定フレームを構成するフィールドを示す図である。すでに指摘したように、フィールド「Ｄｉａｌｏｇ  Ｔｏｋｅｎ」の値は、精密タイミング測定フレームが応答している特定の精密タイミング要求メッセージを示し得る。図１０Ｕの特定の実装形態では、精密タイミング測定フレームは、精密タイミング測定フレームが送信された直近の精密タイミング測定要求メッセージを指定するフィールド「Ｆｏｌｌｏｗ−ｕｐ  Ｄｉａｌｏｇ  Ｔｏｋｅｎ」をさらに含み得る。
【００８０】
[000129]  フィールドＦＴＭ  Ｉｎｄｉｃａｔｉｏｎ  Ｃｈａｎｎｅｌ中の値は、精密タイミング測定メッセージを送信するために選択された周波数チャネルを示し得、フィールドＦＴＭ  Ｉｎｄｉｃａｔｉｏｎ  Ｂｒｏａｄｃａｓｔ  Ｄａｔａ  Ｒａｔｅ中の値は、選択されたデータレートを示し得る。フィールド「ＦＴＭ  Ｓｔａｔｕｓ」中の値は、応答メッセージが応答している要求のステータスを示し得る。ＦＴＭ  Ｓｔａｔｕｓフィールドの例示的な値と説明を以下の表ＩＩＩに示す。
【００８１】
【表３】
0006437533.tif 000004
【００８２】
[000130]  ＦＴＭ  Ｓｔａｔｕｓサブ要素は、Ｓｕｃｃｅｓｓ、Ｆａｉｌ、Ｒｅｆｕｓｅｄ、およびＩｎｃａｐａｂｌｅの４つの可能なステータス値を有する。開始ＳＴＡが、Ｓｕｃｃｅｓｓ以外の何かを示すＦＴＭ  Ｓｔａｔｕｓをもつ精密タイミング測定フレームを受信する場合、開始ＳＴＡは、元の精密タイミング測定要求メッセージが処理されなかったと仮定し、どの構成も応答ＳＴＡに対して効果がなかったと仮定し得る。ここで、開始ＳＴＡは、戻されたステータス値に基づいて適切なアクションをとり得る。
【００８３】
[000131]  ＦＴＭ  ＳｔａｔｕｓがＦａｉｌの場合、応答ＳＴＡが、現在の精密タイミング測定要求メッセージより前に正常に構成されており、それらのパラメータに基づいて精密タイミング測定フレームを引き続き送信する場合、応答ＳＴＡは、応答ＳＴＡによって採用されている現在のＦＴＭ  Ｐａｒａｍｅｔｅｒｓサブ要素値に従って応答し得る。応答ＳＴＡが、以前に構成された値を有しない場合、応答ＳＴＡは、応答ＳＴＡがサポートすることが可能である特定のＦＴＭ  Ｐａｒａｍｅｔｅｒｓサブ要素に従って応答し得る。また、開始ＳＴＡは、元の要求を再試行するか、または代替要求を送り得る。
【００８４】
[000132]  ＦＴＭ  ＳｔａｔｕｓがＩｎｃａｐａｂｌｅの場合、応答ＳＴＡは、それがサポートすることが可能である特定のＦＴＭ  Ｐａｒａｍｅｔｅｒｓサブ要素を適用し得る。したがって、開始ＳＴＡは、前の精密タイミング測定要求メッセージに一致する別の精密タイミング測定要求メッセージを送らないことがあり、一方、（たとえば、ＩＥＥＥ規格８０２．１１アクセスポイントとして実装された）応答ＳＴＡは、同じ基本サービスセット（ＢＳＳ）に関連付けられる。開始ＳＴＡは、代替精密タイミング測定要求メッセージを送信し得る。
【００８５】
[000133]  ＦＴＭ  ＳｔａｔｕｓがＲｅｆｕｓｅの場合、応答ＳＴＡは、それがサポートすることが可能であるＦＴＭ  Ｐａｒａｍｅｔｅｒｓサブ要素を組み込み得る。したがって、開始ＳＴＡは、代替精密タイミング測定要求メッセージを送り得る。
【００８６】
[000134]  ＦＴＭ  Ｓｔａｔｕｓ指示の代替実装形態を以下の表ＩＶに示す。ここで、ステータスフィールド中の「２」の値は、精密タイミング測定要求メッセージに応答して精密タイミング測定メッセージを与えることの実行中に、精密タイミング測定要求メッセージ中の１つまたは複数のフィールドをオーバーライドすべきであることを示す。
【００８７】
【表４】
0006437533.tif 000005
【００８８】
[000135]  図１０Ｖに、「Ｔｒａｎｓｍｉｔ  Ｐｏｗｅｒ」、「Ａｎｔｅｎｎａ  Ｇａｉｎ」および「Ａｎｔｅｎｎａ  ＩＤ」を指定するフィールドを含む精密タイミング測定要求メッセージ肯定応答の例示的なフィールドを示す。Ｔｒａｎｓｍｉｔ  Ｐｏｗｅｒフィールドは、符号付き整数として、長さが１オクテットの、ｄＢｍの単位で報告される精密タイミング測定メッセージを送信するために送信ＳＴＡによって使用されている送信電力を指定し得る。ここで、値、たとえば、１２８は、精密タイミング測定メッセージを送信するための送信電力が未知であることを示し得る。Ａｎｔｅｎｎａ  Ｇａｉｎフィールドは、精密タイミング測定メッセージを送信するために送信ＳＴＡにおいて採用されるアンテナのピークアンテナ利得をｄＢｉ単位で指定し得る。Ａｎｔｅｎｎａ  ＩＤフィールドは、精密タイミング測定メッセージの送信で送信ＳＴＡにおいて使用されるアンテナの識別子を指定し得る。Ａｎｔｅｎｎａ  ＩＤ中に指定される値の有効範囲は、１〜２５４であり得る。フィールドＡｎｔｅｎｎａ  ＩＤ中の０の値は、アンテナ識別子が未知であることを示し得る。
【００８９】
[000136]  一実施形態によれば、たとえば、測位演算において使用するための測定値を送信ＳＴＡが与える有用性を評価するために、受信ＳＴＡが、送信ＳＴＡの相対高度を決定することが望ましいことがある。たとえば、送信ＳＴＡと受信ＳＴＡとが気圧センサー（barometric pressure sensor）を備え得る。受信ＳＴＡに送信ＳＴＡにおいて取得された気圧測定値を与えることにより、受信ＳＴＡは、受信ＳＴＡに対する送信ＳＴＡの高度を概算することが可能になり得る。図１７に、３４ビットの「Ｐｒｅｓｓｕｒｅ」フィールドを含む精密タイミング測定要求メッセージ肯定応答のフィールドを示す。図１８に、分解能（resolution）を指定する６ビット部分と、少数部分を指定する第２の部分と、整数部分を指定する第３の部分とを備える特定の実装形態によるそのようなＰｒｅｓｓｕｒｅフィールドのフォーマットを示す。ただし、これは気圧を指定するための例示的なフォーマットにすぎず、請求する主題がこの点について限定されないことを理解されたい。
【００９０】
[000137]  すでに指摘したように、特定の実装形態によれば、受信ＳＴＡは、たとえば、ＲＴＴを計算するためのタイムスタンプ値に基づいてタイムスタンプ値および／または測定値を取得し得る。さらに追加の実装形態では、受信ＳＴＡは、（たとえば、送信ＳＴＡによって送信された精密タイミング測定メッセージに応答して送信された肯定応答メッセージ中で）送信ＳＴＡとこれらのタイムスタンプ値および／または測定値を共有し得る。図１３に、取得されたタイムスタンプ値および／または測定値を送信ＳＴＡと共有するか、またはそれを送信ＳＴＡに与える受信ＳＴＡの意思を示す（現在図示の実施形態においてシングルビットとして示されている）少なくとも１つのフィールドを含む精密タイミング測定要求メッセージのフィールドを示す。特定の実装形態では、受信ＳＴＡが、精密タイミング測定要求メッセージ中で、タイムスタンプおよび／またはタイムスタンプから導出された測定値を共有する意思がないことを示す場合、（たとえば表ＩＩＩおよびＩＶ中の可能なステータス指示に加えての、またはそれの代わりの）送信ＳＴＡからの追加のイベント報告ステータス指示は、精密タイミング測定メッセージを与えることに対する拒絶を示し得る。
【００９１】
[000138]  特定のシナリオでは、応答ＳＴＡは、（たとえば、異なる開始ＳＴＡから送信された）異なる精密タイミング測定要求メッセージから競合する要求を受信することをメイする。ここで、応答ＳＴＡは、１）応答ＳＴＡに明確にアドレス指定された精密タイミング測定要求フレーム、２）ブロードキャストされた精密タイミング測定要求フレームのように最高優先順位から最低優先順位までの特定の序列に従って異なる競合する精密タイミング測定要求メッセージに応答し得る。応答ＳＴＡが、前の精密タイミング測定要求メッセージと同じかまたはそれよりも高い優先順位の新しい精密タイミング測定要求フレームを受信する場合、応答ＳＴＡは、前の構成を消去し、最新の精密タイミング測定要求メッセージ中の新しいパラメータを適用し始め得る。
【００９２】
[000139]  精密タイミング測定要求フレーム中に含まれるＦＴＭ  Ｉｎｄｉｃａｔｉｏｎ  Ｂｒｏａｄｃａｓｔ  Ｄａｔａ  Ｒａｔｅサブ要素は、応答ＳＴＡが精密タイミング測定フレームを送信すべきターゲットデータレートを示し得る。精密タイミング測定要求フレーム中に含まれるＦＴＭ  Ｉｎｄｉｃａｔｉｏｎ  Ｂｒｏａｄｃａｓｔ  Ｄａｔａ  Ｒａｔｅは、基本データレートセットにおいて定義されているデータレートを示し得る。ＦＴＭ  Ｉｎｄｉｃａｔｉｏｎ  Ｐａｒａｍｅｔｅｒｓサブ要素中に含まれるＩｎｄｉｃａｔｉｏｎ  Ｍｕｌｔｉｃａｓｔ  Ａｄｄｒｅｓｓアドレスフィールドは、同じ拡張サービスセット（ＥＳＳ）中のすべてのＡＰにわたって共有される、ＩＥＥＥ規格８０２．１１において定義されているマルチキャストのローカルに管理されたＩＥＥＥ  ＭＡＣアドレスを備え得る。応答ＳＴＡは、ワイルドカードＢＳＳ識別子（ＢＳＳＩＤ）に設定されたＢＳＳＩＤフィールドをもつＩｎｄｉｃａｔｉｏｎ  Ｍｕｌｔｉｃａｓｔ  Ａｄｄｒｅｓｓに精密タイミング測定フレームを送信し得る。開始ＳＴＡは、ＥＳＳのために構成されたＩｎｄｉｃａｔｉｏｎ  Ｍｕｌｔｉｃａｓｔ  Ａｄｄｒｅｓｓフィールドにアドレス指定されていない精密タイミング測定フレームを破棄し得る。
【００９３】
[000140]  特定の実装形態では、非ＡＰ  ＳＴＡは、以下の理由のいずれかにより、精密タイミング測定フレームの送信を終了し得る。
ａ．非ＡＰ  ＳＴＡが、それが現在関連付けられているＳＴＡから、０の間隔を指定するＦＴＭ  Ｉｎｄｉｃａｔｉｏｎ  Ｐａｒａｍｅｔｅｒｓサブ要素をもつＦＴＭ  Ｐａｒａｍｅｔｅｒｓ要素を含む精密タイミング測定要求フレームを受信した、
ｂ．非ＡＰ  ＳＴＡが、非ＡＰ  ＳＴＡにおいて受信された精密タイミング測定要求フレーム中で送信されたＦＴＭ  Ｐａｒａｍｅｔｅｒｓ要素中に含まれるｅｓｓＤｅｔｅｃｔｉｏｎＩｎｔｅｒｖａｌ値によって指定された期間の間に、非ＡＰ  ＳＴＡを最初に構成した同じＥＳＳに属するビーコンフレームを検出することに失敗した、
ｃ．非ＡＰ  ＳＴＡが、何らかの理由で、電源切断を含めて、それを構成したＥＳＳから関連付けを解除されたか、または異なるＥＳＳによって構成されている、あるいは
ｄ．独立基本サービスセット（ＩＢＳＳ）中で、非ＡＰ  ＳＴＡが、ＩＢＳＳを形成した他方ＳＴＡにそれがもはや接続されていないことを検出した。
【００９４】
[000141]  図１４に、一実装形態による、精密タイミング測定要求メッセージの特定の実装形態に従って精密タイミング指示パラメータを指定し得るフィールドを示す。ここで、８ビットフィールドは、精密タイミング測定要求メッセージに応答して精密タイミング測定メッセージを送信する際に使用されるべき所望の帯域幅を示す要求された「ＦＴＭ  ｃｈａｎｎｅｌ  ｓｐａｃｉｎｇ」を示す。精密タイミング測定要求メッセージに示されているようにより大きいチャネル間隔により、精密タイミング測定要求フレームに応答して送信される精密タイミング測定中での対応より高い精度のまたはより高い正確さの測定値の送信が可能になり得る。精密タイミング測定チャネル間隔の例示的な８ビット符号化を、図１５Ａの表に示し、ここで、下の行に「ＦＴＭ  ｃｈａｎｎｅｌ  ｓｐａｃｉｎｇ」フィールドの可能な値を示し、上の行に、対応する精密タイミング測定チャネル間隔をＭＨｚ単位で示す。精密タイミング測定チャネル間隔の代替例を図１５Ｂの表に示し、ここで、符号化タイプも指定し得る。たとえば、チャネル間隔値１２、１３および１４は、２０．０ＭＨｚを指定するが、それぞれ、（たとえば、ＩＥＥＥ規格８０２．１１ａまたは８０２．１１ｇのための）非ＨＴ符号化、（たとえば、ＩＥＥＥ規格８０２．１１ｎのための）ＨＴ符号化または（たとえば、ＩＥＥＥ規格８０２．１１ａｃのための）ＶＨＴ符号化を示す。同様に、チャネル間隔値１８および１９は、４０．０ＭＨｚを指定するが、それぞれ、ＨＴ符号化およびＶＨＴ符号化を示す。同様に、チャネル間隔値２０は、さらに、８０．０ＭＨｚおよびＶＨＴ符号化を指定し、一方、チャネル間隔値２１は、８０＋８０ＭＨｚおよびＶＨＴ符号化を指定する。
【００９５】
[000142]  図２０に、一実施形態による、所望の構成を広告するために第１のＳＴＡから第２のＳＴＡへのフレームまたはメッセージ中に実装され得るフィールドのためのフォーマットを示す。特定の一実装形態では、図２０の１つまたは複数のフィールドは、精密タイミング測定要求フレーム中に含まれ得る。別の実装形態では、図２０の１つまたは複数のフィールドは、精密タイミング測定要求メッセージに応答して送信される最初の精密タイミング測定メッセージ中に含まれ得る。上記のように、フィールド「Ｌｅｎｇｔｈ」は、メッセージまたはフレーム中のＬｅｎｇｔｈフィールドに続くべきバイト数またはオクテット数を示し得る。
【００９６】
[000143]  精密タイミング測定フレーム中に実装されフィールド「Ｖａｌｕｅ」と組み合わせたフィールド「Ｓｔａｔｕｓ  Ｉｎｄｉｃａｔｉｏｎ」は、精密タイミング測定要求フレームに応答して結果を与え得る。フィールド「Ｓｔａｔｕｓ  Ｉｎｄｉｃａｔｉｏｎ」は、たとえば、以下の表Ｖに示す値を有し得る。Ｓｔａｔｕｓ  Ｉｎｄｉｃａｔｉｏｎ中の値が「４」に設定される場合、フィールドＶａｌｕｅは、フィールドＳｔａｔｕｓ  ＩｎｄｉｃａｔｉｏｎとＶａｌｕｅの組合せの５つの最下位ビット（ＬＳＢ）を占有し得る。
【００９７】
【表５】
0006437533.tif 000006
【００９８】
[000144]  フィールド「Ｎｕｍｂｅｒ  ｏｆ  Ｂｕｒｓｔｓ  Ｅｘｐｏｎｅｎｔ」は、フィールド「Ｓｔａｔｕｓ  Ｉｎｄｉｃａｔｉｏｎ」に続くバイトまたはオクテットの４つのＬＳＢを占有し得る。これは、（たとえば、精密タイミング測定要求フレーム中の場合）複数のバースト（たとえば、２×）が要求されていること、または（たとえば、精密タイミング測定メッセージ中に含まれる場合）それが割り振られていることを示し得る。精密タイミング測定要求メッセージのＮｕｍｂｅｒ  ｏｆ  Ｂｕｒｓｔｓ  Ｅｘｐｏｎｅｎｔフィールド中の「１５」の値は、開始ＳＴＡによる選好がないことを示し得る。
【００９９】
[000145]  すでに指摘したように、フィールド「Ｂｕｒｓｔ  Ｔｉｍｅｏｕｔ」は、バーストインスタンスの持続時間を示し得る。特定の非限定的な例のためのフィールドＢｕｒｓｔ  Ｔｉｍｅｏｕｔの可能な値を以下の表ＶＩに示す。
【０１００】
【表６】
0006437533.tif 000007
【０１０１】
[000146]  すでに指摘したように、フィールド「Ｍｉｎ＿ｄｅｌｔａ＿ＦＴＭ」は、精密タイミング測定フレームの開始から後続の精密タイミング測定フレームの開始までに測定され得る、精密タイミング測定フレームのバースト中での連続する精密タイミング測定フレーム間の最小時間を示し得る。単位は、１００μ秒で表され得、「０」の値は、（たとえば、精密タイミング測定要求フレーム中に開始ＳＴＡによって指定される場合）選好がないことを示し得る。
【０１０２】
[000147]  すでに指摘したように、フィールド「Ｂｕｒｓｔ  Ｏｆｆｓｅｔ」は、（たとえば、ミリ秒の単位で表される）最初の精密タイミング測定要求フレームの受信と最初のバーストインスタンスの開始との間の持続時間を示し得る。（たとえば、開始ＳＴＡからの）精密タイミング測定要求メッセージ中のＢｕｒｓｔ  Ｏｆｆｓｅｔの０の値は、「できるだけ速く」を示し得る。（たとえば、開始ＳＴＡからの）精密タイミング測定要求メッセージ中のＢｕｒｓｔ  Ｏｆｆｓｅｔの６５５３５の値は、選好がないことを示し得る。
【０１０３】
[000148]  フィールドＦＴＭｓ  ｐｅｒ  Ｂｕｒｓｔは、精密タイミング測定のバーストのため測定数を示し得る。
【０１０４】
[000149]  図１１は、一実施形態による、モバイルデバイスの概略図である。モバイルデバイス１００（図１）は、図１１に示されたモバイルデバイス１１００の１つまたは複数の特徴を備え得る。いくつかの実施形態では、モバイルデバイス１１００はまた、ワイヤレス通信ネットワーク上でワイヤレスアンテナ１１２２を介してワイヤレス信号１１２３を送信および受信することが可能なワイヤレストランシーバ１１２１を備え得る。ワイヤレストランシーバ１１２１は、ワイヤレストランシーババスインターフェース１１２０によってバス１１０１に接続され得る。ワイヤレストランシーババスインターフェース１１２０は、いくつかの実施形態では、ワイヤレストランシーバ１１２１に少なくとも部分的に統合され得る。いくつかの実施形態は、たとえば、ほんの数例を挙げると、ＩＥＥＥ規格８０２．１１のバージョン、ＣＤＭＡ、ＷＣＤＭＡ（登録商標）、ＬＴＥ、ＵＭＴＳ、ＧＳＭ（登録商標）、ＡＭＰＳ、Ｚｉｇｂｅｅ（登録商標）およびＢｌｕｅｔｏｏｔｈなど、対応する複数のワイヤレス通信規格に従って信号を送信および／または受信することを可能にするために、複数のワイヤレストランシーバ１１２１とワイヤレスアンテナ１１２２とを含み得る。
【０１０５】
[000150]  モバイルデバイス１１００はまた、ＳＰＳアンテナ１１５８を介してＳＰＳ信号１１５９を受信および獲得することが可能なＳＰＳ受信機１１５５を備え得る。ＳＰＳ受信機１１５５はまた、モバイルデバイス１０００のロケーションを推定するための獲得されたＳＰＳ信号１１５９を全体的にまたは部分的に処理し得る。いくつかの実施形態では、汎用プロセッサ１１１１、メモリ１１４０、ＤＳＰ１１１２および／または専用プロセッサ（図示せず）はまた、ＳＰＳ受信機１１５５と併せて、獲得されたＳＰＳ信号を全体的にまたは部分的に処理し、および／あるいはモバイルデバイス１１００の推定ロケーションを計算するために利用され得る。測位動作を実行する際に使用するためのＳＰＳまたは他の信号の記憶は、メモリ１１４０またはレジスタ（図示せず）内で実行され得る。
【０１０６】
[000151]  同じく図１１に示すように、モバイルデバイス１１００は、バスインタ−フェース１１１０によってバス１１０１に接続されたデジタル信号プロセッサ（ＤＳＰ）１１１２と、バスインタ−フェース１１１０によってバス１１０１に接続された汎用プロセッサ１１１１と、メモリ１１４０とを備え得る。バスインタ−フェース１１１０は、ＤＳＰ１１１２、汎用プロセッサ１１１１およびメモリ１１４０と統合され得る。様々な実施形態では、ほんの数例を挙げると、ＲＡＭ、ＲＯＭ、ＦＬＡＳＨ、またはディスクドライブなど、コンピュータ可読記憶媒体上になど、メモリ１１４０に記憶された１つまたは複数の機械可読命令の応答実行で、機能が実行され得る。１つまたは複数の命令は、汎用プロセッサ１１１１、専用プロセッサ、またはＤＳＰ１１１２によって実行可能であり得る。メモリ１１４０は、本明細書で説明する機能を実行するためにプロセッサ１１１１および／またはＤＳＰ１１１２によって実行可能であるソフトウェアコード（プログラミングコード、命令など）を記憶する非一時的プロセッサ可読メモリおよび／またはコンピュータ可読メモリを備え得る。特定の実装形態では、ワイヤレストランシーバ１１２１は、上記で説明したように、モバイルデバイス１１００をワイヤレスＳＴＡとして構成するのを可能にするために、バス１１０１を通して汎用プロセッサ１１１１および／またはＤＳＰ１１１２と通信し得る。汎用プロセッサ１１１１および／またはＤＳＰ１１１２は、図５Ｂ、図５Ｃ、図５Ｄ、図５Ｅ、図６Ｂ、図６Ｃ、図６Ｄ、図６Ｅ、図６Ｆ、図６Ｇ、図６Ｈ、図６Ｉ、図６Ｊ、図６Ｋ、図６Ｌ、図６Ｍ、図９Ｂ、図９Ｃ、図１０Ｑおよび図１０Ｒに関して上記で説明したプロセスの１つまたは複数の態様を実行するために命令を実行し得る。
【０１０７】
[000152]  やはり図１１に示されるように、ユーザインターフェース１１３５は、いくつか例を挙げると、たとえば、スピーカー、マイクロフォン、ディスプレイデバイス、振動デバイス、キーボード、タッチスクリーンなどのいくつかのデバイスのうちのいずれかを備え得る。特定の実装形態では、ユーザインターフェース１１３５は、ユーザがモバイルデバイス１１００上にホストされた１つまたは複数のアプリケーションと対話することを可能にし得る。たとえば、ユーザインターフェース１１３５のデバイスは、ユーザからのアクションに応答してＤＳＰ１１１２または汎用／アプリケーションプロセッサ１１１１によってさらに処理されるべきアナログ信号またはデジタル信号をメモリ１１４０上に記憶し得る。同様に、モバイルデバイス１１００上にホストされたアプリケーションは、出力信号をユーザに提示するためにアナログまたはデジタル信号をメモリ１１４０に記憶し得る。別の実装形態では、モバイルデバイス１１００は、たとえば、専用スピーカー、マイクロフォン、デジタルアナログ回路、アナログデジタル回路、増幅器および／または利得制御を備える専用オーディオ入出力（Ｉ／Ｏ）デバイス１１７０を随意に含み得る。ただし、これは、オーディオＩ／Ｏがモバイルデバイスにおいてどのように実装され得るかの一例にすぎず、請求する主題はこの点について限定されないことを理解されたい。別の実装形態では、モバイルデバイス１１００は、キーボードまたはタッチスクリーンデバイスにタッチすること、またはそれに対する圧力（pressure）に応答するタッチセンサー１１６２を備え得る。
【０１０８】
[000153]  モバイルデバイス１１００はまた、静止画または動画をキャプチャするための専用カメラデバイス１１６４を備え得る。専用カメラデバイス１１６４は、たとえば、ほんの数例を挙げると、イメージングセンサー（たとえば、電荷結合デバイスまたはＣＭＯＳイメージャ）、レンズ、アナログデジタル回路、フレームバッファを備え得る。一実装形態では、キャプチャされた画像を表す信号の追加の処理、調整、符号化または圧縮が、汎用／アプリケーションプロセッサ１１１１または（１つまたは複数の）ＤＳＰ１１１２において実行され得る。代替的に、専用ビデオプロセッサ１１６８が、キャプチャされた画像を表す信号の調整、符号化、圧縮、または操作を実行し得る。さらに、専用ビデオプロセッサ１１６８は、モバイルデバイス１１００上のディスプレイデバイス（図示せず）上での提示のために記憶された画像データを復号／復元し得る。
【０１０９】
[000154]  モバイルデバイス１１００は、たとえば、慣性センサーと環境センサーとを含み得る、バス１１０１に結合されたセンサー１１６０も備え得る。センサー１１６０の慣性センサーは、（たとえば、１つもしくは複数のコンパスアプリケーションをサポートするために）たとえば、（たとえば、３次元のモバイルデバイス１１００の加速度にまとめて応答する）加速度計、１つもしくは複数のジャイロスコープまたは１つもしくは複数の磁力計を備え得る。モバイルデバイス１１００の環境センサーは、たとえば、ほんの数例を挙げると、温度センサー、気圧センサー、周辺光センサー、カメライメージャ、マイクロフォンを備え得る。センサー１１６０は、メモリ１１４０中に記憶され、たとえば、測位またはナビゲーション動作を対象とするアプリケーションなどの１つまたは複数のアプリケーションをサポートするＤＰＳまたは汎用／アプリケーションプロセッサ１１１１によって処理され得るアナログ信号またはデジタル信号を生成し得る。
【０１１０】
[000155]  特定の実装形態では、モバイルデバイス１１００は、ワイヤレストランシーバ１１２１またはＳＰＳ受信機１１５５において受信され、ダウンコンバートされた信号のベースバンド処理を実行することが可能な専用モデムプロセッサ１１６６を備え得る。同様に、専用モデムプロセッサ１１６６は、ワイヤレストランシーバ１１２１による送信のためにアップコンバートされるべき信号のベースバンド処理を実行し得る。代替実装形態では、専用モデムプロセッサを有する代わりに、ベースバンド処理が汎用プロセッサまたはＤＳＰ（たとえば、汎用／アプリケーションプロセッサ１１１１またはＤＳＰ１１１２）によって実行され得る。ただし、これらはベースバンド処理を実行し得る構造の例にすぎず、請求する主題はこの点について限定されないことを理解されたい。
【０１１１】
[000156]  図１２は、たとえば、図１に関して上記で説明した技法またはプロセスを実施するように構成可能な１つもしくは複数のデバイスを含み得る例示的なシステム１８００を示す概略図である。システム１８００は、たとえば、ワイヤレス通信ネットワークを通して互いに動作可能に結合され得る、第１のデバイス１８０２と、第２のデバイス１８０４と、第３のデバイス１８０６とを含み得る。一態様では、第１のデバイス１８０２は、たとえば、図示のようにアクセスポイントを備え得る。一態様では、第２のデバイス１８０４は、アンドアクセスポイントを備え得、第３のデバイス１８０６は、移動局またはモバイルデバイスを備え得る。また、一態様では、デバイス１８０２、１８０４および１８０２は、たとえば、１つまたは複数のワイヤレスアクセスポイントを備え得るワイヤレス通信ネットワーク中に含まれ得る。ただし、請求する主題はこれらの点で範囲が限定されない。
【０１１２】
[000157]  図１２に示された第１のデバイス１８０２、第２のデバイス１８０４および第３のデバイス１８０６は、ワイヤレス通信ネットワークを介してデータを交換するように構成可能であり得る任意のデバイス、機器または機械を表し得る。限定ではなく例として、第１のデバイス１８０２、第２のデバイス１８０４、または第３のデバイス１８０６のいずれも、たとえば、デスクトップコンピュータ、ラップトップコンピュータ、ワークステーション、サーバデバイスなど、１つまたは複数のコンピューティングデバイスまたはプラットフォーム、たとえば、携帯情報端末、モバイル通信デバイスなど、１つまたは複数のパーソナルコンピューティングまたは通信デバイスまたはアプライアンス、たとえば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムなど、コンピューティングシステムまたは関連するサービスプロバイダ機能、あるいはそれらの任意の組合せを含み得る。第１のデバイス１８０２、第２のデバイス１８０４、および第３のデバイス１８０６のいずれも、本明細書で説明する例によれば、アクセスポイントまたはモバイルデバイスのうちの１つまたは複数を備え得る。
【０１１３】
[000158]  同様に、図１２に示されるワイヤレス通信ネットワークは、第１のデバイス１８０２と、第２のデバイス１８０４と、第３のデバイス１８０６とのうちの少なくとも２つの間でのデータの交換をサポートするように構成可能な１つまたは複数の通信リンク、プロセス、またはリソースを表す。限定ではなく例として、ワイヤレス通信ネットワークは、ワイヤレスまたはワイヤード通信リンク、電話または電気通信システム、データバスまたはチャネル、光ファイバー、地上またはスペースビークルリソース、ローカルエリアネットワーク、ワイドエリアネットワーク、イントラネット、インターネット、ルータまたはスイッチなど、あるいはそれらの任意の組合せを含み得る。たとえば、第３のデバイス１８０６の部分的に不明瞭にされたものとして示された破線ボックスによって示されるように、ワイヤレス通信ネットワーク１８０８に動作可能に結合された追加の同様のデバイスがあり得る。
【０１１４】
[000159]  図１２に示された様々なデバイスおよびネットワーク、ならびに本明細書でさらに説明するプロセスおよび方法の全部または一部は、ハードウェア、ファームウェア、ソフトウェア、またはそれらの任意の組合せを使用して、またはさもなければ含めて実装され得ることを認識されたい。
【０１１５】
[000160]  したがって、限定ではなく例として、第２のデバイス１８０４は、バス１８２８を介してメモリ１８２２に動作可能に結合された少なくとも１つの処理ユニット１８２０を含み得る。
【０１１６】
[000161]  処理ユニット１８２０は、データコンピューティング手順またはプロセスの少なくとも一部分を実行するように構成可能な１つまたは複数の回路を表す。限定ではなく例として、処理ユニット１８２０は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【０１１７】
[000162]  メモリ１８２２は何らかのデータ記憶機構を表す。メモリ１８２２は、たとえば、１次メモリ１８２４または２次メモリ１８２６を含み得る。１次メモリ１８２４は、たとえば、ランダムアクセスメモリ、読取り専用メモリなどを含み得る。この例では処理ユニット１８２０とは別個であるものとして示されているが、１次メモリ１８２４の全部または一部は、処理ユニット１８２０内に設けられるか、またはさもなければ処理ユニット１８２０と共設／結合され得ることを理解されたい。特定の一実装形態では、メモリ１８２２および処理ユニット１８２０は、図５Ｂ、図５Ｃ、図５Ｄ、図５Ｅ、図６Ｂ、図６Ｃ、図６Ｄ、図６Ｅ、図６Ｆ、図６Ｇ、図６Ｈ、図６Ｉ、図６Ｊ、図６Ｋ、図６Ｌ、図６Ｍ、図９Ｂ、図９Ｃ、図１０Ｑおよび図１０Ｒに関して上記で説明したプロセスの１つまたは複数の態様を実行するように構成され得る。
【０１１８】
[000163]  ２次メモリ１８２６は、たとえば、１次メモリと同じまたは同様のタイプのメモリ、あるいは、たとえば、ディスクドライブ、光ディスクドライブ、テープドライブ、ソリッドステートメモリドライブなど、１つまたは複数のデータストレージデバイスまたはシステムを含み得る。いくつかの実装形態では、２次メモリ１８２６は、コンピュータ可読媒体１８４０を動作可能に受容するか、またはさもなければそれに結合するように構成可能であり得る。コンピュータ可読媒体１８４０は、たとえば、システム１８００中のデバイスのうちの１つまたは複数のためにデータ、コードまたは命令を担持するかまたはアクセス可能にすることができる任意の非一時的媒体を含み得る。コンピュータ可読媒体１８４０は記憶媒体と呼ばれることもある。
【０１１９】
[000164]  第２のデバイス１８０４は、たとえば、少なくともアンテナ１８０８を通したワイヤレス通信ネットワークへの第２のデバイス１８０４の動作可能な結合を与えるか、またはさもなければそれをサポートする通信インターフェース１８３０を含み得る。限定ではなく例として、通信インターフェース１８３０は、ネットワークインターフェースデバイスまたはカード、モデム、ルータ、スイッチ、トランシーバなどを含み得る。特定の一実装形態では、通信インターフェース１８３０と組み合わせたアンテナ１８０８は、図５Ｂ、図５Ｃ、図５Ｄ、図５Ｅ、図６Ｂ、図６Ｃ、図６Ｄ、図６Ｅ、図６Ｆ、図６Ｇ、図６Ｈ、図６Ｉ、図６Ｊ、図６Ｋ、図６Ｌ、図６Ｍ、図９Ｂ、図９Ｃ、図１０Ｑおよび図１０Ｒに関して上記で説明したプロセスにおける信号の送信および受信を実装するために使用され得る。
【０１２０】
[000165]  第２のデバイス１８０４は、たとえば、入出力デバイス１８３２を含み得る。入出力デバイス１８３２は、人間もしくは機械の入力を受け入れるか他の形で導入するように構成可能とすることができる１つもしくは複数のデバイスもしくは特徴、または人間もしくは機械の出力を配送するか他の形で提供するように構成可能とすることができる１つもしくは複数のデバイスもしくは特徴を表す。限定ではなく例として、入出力デバイス１８３２は、動作可能に構成されたディスプレイ、スピーカー、キーボード、マウス、トラックボール、タッチスクリーン、データポートなどを含み得る。
【０１２１】
[000166]  本明細書で使用する「アクセスポイント」という用語は、たとえば、ワイヤレスローカルエリアネットワークなどのワイヤレス通信システムにおける通信を容易にするために使用される任意のワイヤレス通信局および／またはデバイスを含むように意図されるが、請求する主題の範囲はこの点について限定されない。また、本明細書で使用する「アクセスポイント」と「ワイヤレス送信機」という用語は、本明細書では互換的に使用され得る。別の態様では、アクセスポイントは、たとえば、ワイヤレスローカルエリアネットワーク（ＷＬＡＮ）アクセスポイントを備え得る。そのようなＷＬＡＮは、一態様では、ＩＥＥＥ規格８０２．１１の１つまたは複数のバージョンと互換性のあるおよび／またはそれに準拠するネットワークを備え得るが、請求する主題の範囲はこの点について限定されない。ＷＬＡＮアクセスポイントは、たとえば、１つまたは複数のモバイルデバイスとインターネットなどのネットワークとの間の通信を与え得る。
【０１２２】
[000167]  本明細書で使用する「モバイルデバイス」という用語は、変化する位置ロケーションを時々有することがあるデバイスを指す。位置ロケーションの変化は、いくつかの例として、方向、距離、向きなどに対する変化を備え得る。特定の例では、モバイルデバイスは、セルラー電話、ワイヤレス通信デバイス、ユーザ機器、ラップトップコンピュータ、他のパーソナル通信システム（「ＰＣＳ」）デバイス、携帯情報端末（「ＰＤＡ」）、パーソナルオーディオデバイス（「ＰＡＤ」）、ポータブルナビゲーションデバイスおよび／または他のポータブル通信デバイスを備え得る。モバイルデバイスは、機械可読命令によって制御される機能を実行するように適合されたプロセッサおよび／またはコンピューティングプラットフォームをも備え得る。
【０１２３】
[000168]  本明細書で説明した方法は、特定の例に従って適用例に応じて様々な手段によって実装され得る。たとえば、そのような方法は、ハードウェア、ファームウェア、ソフトウェア、またはそれらの組合せで実装され得る。ハードウェア実装形態では、たとえば、処理ユニットは、１つまたは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明した機能を実行するように設計された他のデバイスユニット、またはそれらの組合せ内に実装され得る。
【０１２４】
[000169]  本明細書に含まれる詳細な説明のいくつかの部分は、特定の装置あるいは専用コンピューティングデバイスまたはプラットフォームのメモリ内に記憶された２値デジタル信号に対する演算のアルゴリズムまたは記号表現に関して提示した。この特定の明細書のコンテキストでは、特定の装置などの用語は、プログラムソフトウェアからの命令に従って特定の動作を実行するようにプログラムされた汎用コンピュータを含む。アルゴリズムの説明または記号表現は、信号処理または関連技術の当業者が、自身の仕事の本質を他の当業者に伝達するために使用する技法の例である。アルゴリズムは、本明細書では、また一般に、所望の結果をもたらす自己無撞着な一連の演算または同様の信号処理であると考えられる。このコンテキストでは、演算または処理は物理量の物理的操作を伴う。一般に、必ずしも必要ではないが、そのような量は、記憶、転送、結合、比較、または他の方法で操作されることが可能な電気信号または磁気信号の形態をとり得る。主に一般的な用法という理由で、そのような信号をビット、データ、値、要素、記号、文字、項、数、数字などと呼ぶことは時々便利であることがわかっている。ただし、これらまたは同様の用語はすべて、適切な物理量に関連付けられるべきものであり、便利なラベルにすぎないことを理解されたい。別段に明記されていない限り、本明細書の説明から明らかなように、本明細書全体にわたって、「処理する」、「算出する」、「計算する」、「決定する」などの用語を利用する説明は、専用コンピュータ、専用計算装置または同様の専用電子コンピューティングデバイスなど、特定の装置の動作またはプロセスを指すことを諒解されたい。したがって、本明細書のコンテキストで、専用コンピュータまたは同様の専用電子コンピューティングデバイスは、専用コンピュータまたは同様の専用電子コンピューティングデバイスのメモリ、レジスタ、または他の情報記憶デバイス、送信デバイス、あるいは専用コンピュータまたは同様の専用電子コンピューティングデバイスのディスプレイデバイス内の電子的または磁気的な物理量として一般に表される信号を操作または変換することが可能である。
【０１２５】
[000170]  本明細書で説明するワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。「ネットワーク」および「システム」という用語は本明細書では互換的に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ｃｄｍａ２０００、広帯域ＣＤＭＡ（「Ｗ−ＣＤＭＡ（登録商標）」）などの１つまたは複数の無線アクセス技術（「ＲＡＴ」）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（ＧＳＭ：Global System for Mobile Communications）、デジタルアドバンストモバイルフォンシステム（Ｄ−ＡＭＰＳ：Digital Advanced Mobile Phone System）、または何らかの他のＲＡＴを実装し得る。ＧＳＭおよびＷ−ＣＤＭＡは、「第３世代パートナーシッププロジェクト」（３ＧＰＰ：3rd Generation Partnership Project）と称する団体からの文書に記載されている。ｃｄｍａ２０００は、「第３世代パートナーシッププロジェクト２」（「３ＧＰＰ２」：3rd Generation Partnership Project 2）と称する団体からの文書に記載されている。３ＧＰＰおよび３ＧＰＰ２の文書は、公に入手可能である。ある態様では、４Ｇロングタームエボリューション（「ＬＴＥ」）通信ネットワークもまた、特許請求の範囲に記載された対象に従って実装され得る。ＷＬＡＮはＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明したワイヤレス通信実装形態はまた、ＷＷＡＮ、ＷＬＡＮまたはＷＰＡＮの任意の組合せとともに使用され得る。
【０１２６】
[000171]  別の態様では、前述のように、ワイヤレス送信機またはアクセスポイントは、セルラー電話サービスを会社または家庭に延長するために利用されるフェムトセルを備え得る。そのような実装形態では、１つまたは複数のモバイルデバイスは、たとえば、符号分割多元接続（「ＣＤＭＡ」）セルラー通信プロトコルを介してフェムトセルと通信し得、フェムトセルは、インターネットなどの別のブロードバンドネットワークを介してより大きいセルラー電気通信ネットワークへのアクセスをモバイルデバイスに与え得る。
【０１２７】
[000172]  本明細書で説明する技法は、いくつかのＧＮＳＳおよび／またはＧＮＳＳの組合せのうちのいずれか１つを含むＳＰＳとともに使用され得る。さらに、そのような技法は、「スードライト（pseudolite）」として働く地上波送信機、またはＳＶとそのような地上波送信機との組合せを利用する測位システムとともに使用され得る。地上波送信機は、たとえば、ＰＮコードまたは（たとえば、ＧＰＳまたはＣＤＭＡセルラー信号と同様の）他のレンジングコードをブロードキャストする地上送信機を含み得る。そのような送信機には、遠隔受信機による識別を可能にするように一意のＰＮコードが割り当てられ得る。地上波送信機は、たとえば、トンネルの中、鉱山内、建築物の中、都市ビルの谷間または他の閉じられたエリア内などの、周回するＳＶからのＳＰＳ信号が利用できないことがある状況においてＳＰＳを補強するのに有用であり得る。スードライトの別の実装形態は無線ビーコンとして知られている。本明細書で使用する「ＳＶ」という用語は、スードライト、スードライトの等価物、および場合によっては他のものとして働く地上波送信機を含むものとする。本明細書で使用する「ＳＰＳ信号」および／または「ＳＶ信号」という用語は、スードライトまたはスードライトの等価物として働く地上波送信機を含む、地上波送信機からのＳＰＳ様の信号を含むものとする。
【０１２８】
[000173]  本明細書で使用する「および」、および「または」という用語は、それが使用される文脈に少なくとも部分的に依存する様々な意味を含み得る。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。本明細書全体にわたる「一例」または「例」への言及は、その例に関して説明する特定の特徴、構造、または特性が、請求する主題の少なくとも１つの例の中に含まれることを意味する。したがって、本明細書全体にわたる様々な箇所における「一例では」または「例」という句の出現は、必ずしもすべてが同じ例を指すとは限らない。さらに、それらの特定の特徴、構造、または特性は、１つまたは複数の例において組み合わされ得る。本明細書で説明した例は、機械、デバイス、エンジン、またはデジタル信号を使用して動作する装置を含み得る。そのような信号は、電子信号、光信号、電磁信号、またはロケーション間で情報を与える任意の形態のエネルギーを備え得る。
【０１２９】
[000174]  現在例示的な特徴と考えられることについて例示し説明したが、請求する主題から逸脱することなく、様々な他の変更が行われ得、均等物が代用され得ることが、当業者には理解されよう。さらに、本明細書で説明された主要な概念から逸脱することなしに、特定の状況を特許請求の範囲に記載された対象の教示に適応させるために、多くの修正が行われ得る。したがって、特許請求の範囲に記載された対象は、開示された特定の例に限定されないが、そのような特許請求の範囲に記載された対象は、添付の特許請求の範囲に含まれるすべての態様、およびそれらの均等物も含み得ることが意図される。
以下に、本願の出願当初の特許請求の範囲に記載された発明を付記する。
［Ｃ１］
第１のワイヤレストランシーバデバイスにおいて、
第２のワイヤレストランシーバデバイスに精密タイミング測定要求メッセージを送信すること、前記精密タイミング測定要求メッセージが、前記第２のワイヤレストランシーバデバイスにおける前記精密タイミング測定要求メッセージの受信に応答した前記第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、
を備える方法。
［Ｃ２］
前記少なくとも１つのフィールドのうちのフィールドが、前記複数の精密タイミング測定メッセージのうちの最初の精密タイミング測定メッセージの送信のための時間オフセットを指定する、Ｃ１に記載の方法。
［Ｃ３］
前記少なくとも１つのフィールドのうちのフィールドが、前記精密タイミング測定要求メッセージに応答した前記第２のワイヤレストランシーバデバイスからのメッセージの送信のための周波数チャネルを指定する、Ｃ１に記載の方法。
［Ｃ４］
前記精密タイミング測定要求メッセージが、複数のビットを定義するトリガフィールドをさらに備える、前記ビットのうちの少なくとも１つが、前記トリガフィールド以外の少なくとも１つのフィールド中の値が有効であるまたは容認されるのかどうかを示す、Ｃ１に記載の方法。
［Ｃ５］
前記ビットのうちの前記少なくとも１つが、前記複数の精密タイミング測定メッセージのうちの最初の精密タイミング測定メッセージの送信のための時間オフセットを指定する前記少なくとも１つのフィールド中の値が有効であるまたは容認されるのかどうかを示すビットを備える、Ｃ４に記載の方法。
［Ｃ６］
前記精密タイミング測定要求フレームが、フィールド、少なくとも「長さ」フィールドに続くフィールド１つまたは複数のフィールドを除外するために、前記第２のワイヤレストランシーバデバイスにおける前記精密タイミング測定要求メッセージの切り捨てを可能にする前記「長さ」フィールドをさらに備える、Ｃ１に記載の方法。
［Ｃ７］
前記精密タイミング測定要求が、複数の精密タイミング測定メッセージのバースト中での連続する精密タイミング測定メッセージの送信間の最小持続時間を指定する「Ｍｉｎ＿ｄｅｌｔａ」フィールドをさらに備える、ここにおいて、前記Ｍｉｎ＿ｄｅｌｔａフィールドと前記オフセットを指定する前記少なくとも１つのフィールドとが、「長さ」フィールドの直後にくる、ここにおいて、前記長さフィールドは、前記Ｍｉｎ＿ｄｅｌｔａフィールドと前記オフセットを指定する前記少なくとも１つのフィールドとに続くフィールドを除外するために、前記精密タイミング測定要求メッセージの切り捨てを可能にする、Ｃ６に記載の方法。
［Ｃ８］
前記少なくとも１つのフィールドのうちのフィールドが、前記精密タイミング測定要求メッセージに応答した送信のために要求される精密タイミング測定値をブロードキャストすべきデータレートを指定する、Ｃ１に記載の方法。
［Ｃ９］
前記精密タイミング測定要求メッセージは、前記第１のワイヤレストランシーバデバイスがオフチャネルまたはスリープに移行することが許可され得る持続時間を指定する少なくとも１つのフィールドをさらに備える、Ｃ１に記載の方法。
［Ｃ１０］
前記少なくとも１つのフィールドのうちのフィールドが、精密タイミング測定メッセージの前記バースト中での送信のための精密タイミング測定メッセージの要求数を指定する、Ｃ１に記載の方法。
［Ｃ１１］
前記少なくとも１つのフィールドのうちのフィールドが、前記精密タイミング測定要求メッセージに応答した前記第２のワイヤレストランシーバデバイスからの送信のために要求される精密タイミング測定メッセージの連続バースト数を指定する、Ｃ１に記載の方法。
［Ｃ１２］
前記精密タイミング測定要求フレームが、複数のビットを定義するトリガフィールドをさらに備える、前記ビットのうちの少なくとも１つが、前記精密タイミング測定要求フレームの少なくとも１つの他のフィールド中の値が有効であるまたは容認されるのかどうかを示す、ここにおいて、前記ビットのうちの前記少なくとも１つが、精密タイミング測定メッセージのバースト中での送信のための精密タイミング測定メッセージの数を指定するフィールド中の値が有効であるまたは容認されるのかどうかを示すビットを備える、Ｃ１に記載の方法。
［Ｃ１３］
前記少なくとも１つのフィールドのうちのフィールドが、前記精密タイミング測定要求メッセージに応答した前記第２のワイヤレストランシーバからの送信のための精密タイミング測定メッセージの連続バーストの最初の精密タイミング測定メッセージ間の要求時間期間を指定する、Ｃ１に記載の方法。
［Ｃ１４］
前記少なくとも１つのフィールドのうちのフィールドが、前記精密タイミング測定要求メッセージに応答して前記第２のワイヤレストランシーバデバイスから送信されるべき精密タイミング測定メッセージの連続バースト数を指定する、Ｃ１に記載の方法。
［Ｃ１５］
前記精密タイミング測定要求フレームが、複数のビットを定義するトリガフィールドをさらに備える、前記ビットのうちの少なくとも１つが、前記精密タイミング測定要求フレームの少なくとも１つの他のフィールド中の値が有効であるまたは容認されるのかどうかを示す、ここにおいて、前記ビットのうちの前記少なくとも１つが、前記要求時間期間を指定する前記フィールド中の値が有効であるまたは容認されるのかどうかを示すビットを備える、Ｃ１に記載の方法。
［Ｃ１６］
前記少なくとも１つのフィールドのうちのフィールドが、前記第１のワイヤレストランシーバデバイスにおける前記精密タイミング測定要求メッセージの送信と前記第１のワイヤレストランシーバデバイスにおける精密タイミング測定要求メッセージ肯定応答フレームの受信との間の最大時間を指定する、前記精密タイミング測定要求メッセージ肯定応答フレームが、前記精密タイミング測定要求メッセージの受信に応答して前記第２のワイヤレストランシーバデバイスによって送信されることが予想される、Ｃ１に記載の方法。
［Ｃ１７］
前記精密タイミング測定要求フレームが、複数のビットを定義するトリガフィールドをさらに備える、前記ビットのうちの少なくとも１つが、前記精密タイミング測定要求フレームの少なくとも１つの他のフィールド中の値が有効であるまたは容認されるのかどうかを示す、ここにおいて、前記ビットのうちの前記少なくとも１つが、前記精密タイミング測定要求メッセージの送信と前記精密タイミング測定要求メッセージ肯定応答フレームの受信との間の最大時間を指定する前記少なくとも１つのフィールド中の値が有効であるまたは容認されるのかどうかを示すビットを備える、Ｃ１６に記載の方法。
［Ｃ１８］
前記少なくとも１つのフィールドのうちのフィールドが、前記精密タイミング測定要求メッセージに応答して前記第２のワイヤレストランシーバデバイスによって送信されるべき精密タイミング測定メッセージのバースト数を指定する、Ｃ１に記載の方法。
［Ｃ１９］
前記精密タイミング測定要求メッセージが、前記第１のワイヤレストランシーバデバイスにおいて以前に計算されたラウンドトリップ時間（ＲＴＴ）または距離を指定する少なくとも１つのフィールドをさらに備える、前記ＲＴＴまたは距離が、前記第１のワイヤレストランシーバデバイスと前記第２のワイヤレストランシーバデバイスとの間でのメッセージの以前の交換に、少なくとも部分的に、基づいて計算される、Ｃ１に記載の方法。
［Ｃ２０］
前記少なくとも１つのフィールドのうちのフィールドが、複数の精密タイミング測定メッセージのバースト中での連続する精密タイミング測定メッセージの送信間の最小持続時間を指定する、Ｃ１に記載の方法。
［Ｃ２１］
前記精密タイミング測定要求フレームが、複数のビットを定義するトリガフィールドをさらに備える、前記ビットのうちの少なくとも１つが、前記精密タイミング測定要求フレームの少なくとも１つの他のフィールド中の値が有効であるまたは容認されるのかどうかを示す、ここにおいて、前記ビットのうちの前記少なくとも１つが、複数の精密タイミング測定メッセージのバースト中での連続する精密タイミング測定メッセージの送信間の前記最小持続時間を指定する前記少なくとも１つのフィールド中の値が有効であるまたは容認されるのかどうかを示すビットを備える、Ｃ１９に記載の方法。
［Ｃ２２］
前記少なくとも１つのフィールドのうちのフィールドが、前記第２のワイヤレストランシーバデバイスから受信された精密タイミング測定メッセージに基づいてタイムスタンプまたはタイムスタンプから導出された精密タイミング測定値を共有する前記第１のワイヤレストランシーバデバイスの意思を示す、Ｃ１に記載の方法。
［Ｃ２３］
前記精密タイミング測定要求メッセージの受信に応答して前記第２のワイヤレストランシーバデバイスによって送信された精密タイミング測定要求メッセージ肯定応答メッセージを受信すること、前記精密タイミング測定要求メッセージ肯定応答メッセージが、前記第２のワイヤレストランシーバデバイスのロケーションにおいて測定された気圧を示す少なくとも１つのフィールドを備える、
をさらに備える、Ｃ１に記載の方法。
［Ｃ２４］
前記精密タイミング測定要求メッセージ肯定応答メッセージ中の前記少なくとも１つのフィールドが、圧力分解能部分を指定する所定の数のビットと、圧力部分を指定する所定の数のビットと、整数部分を指定する所定の数のビットとを備える、Ｃ２３に記載の方法。
［Ｃ２５］
前記第２のワイヤレストランシーバデバイスにおける前記精密タイミング測定要求メッセージの到着時間を指定する第１のフィールドと、前記第２のワイヤレストランシーバデバイスからの精密タイミング測定メッセージの出発時間を指定する第２のフィールドとを少なくとも備える、前記精密タイミング測定要求メッセージの受信に応答して前記第２のワイヤレストランシーバデバイスによって送信された前記精密タイミング測定メッセージを受信すること、
ここにおいて、前記第１のフィールドと前記第２のフィールドとの中に指定された値が固定ビット長値として表される、
ここにおいて、前記精密タイミング測定メッセージが、前記第１のフィールドまたは前記第２のフィールドのいずれかの中に指定された値が、以前に送信された精密タイミング測定メッセージ中の対応する値と不連続であることを示す少なくとも１つのフィールドをさらに備える、
をさらに備える、Ｃ１に記載の方法。
［Ｃ２６］
前記第１のフィールドと前記第２のフィールドとの中の前記値が、固定ビットカウンタに従って決定される、ここにおいて、前記カウンタが最大値を超えており、最小値においてカウントを開始する場合、前記第１のフィールドまたは前記第２のフィールドの中に指定された値は不連続であるものとして示される、Ｃ２５に記載の方法。
［Ｃ２７］
第１のワイヤレストランシーバデバイスであって、
ワイヤレス通信ネットワークにメッセージを送信し、前記ワイヤレス通信ネットワークからメッセージを受信するためのトランシーバと、
第２のワイヤレストランシーバデバイスに前記トランシーバを通して精密タイミング測定要求メッセージの送信を開始すること、前記精密タイミング測定要求メッセージが、前記第２のワイヤレストランシーバデバイスにおける前記精密タイミング測定要求メッセージの受信に応答した前記第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、を行うための１つまたは複数のプロセッサと
を備える第１のワイヤレストランシーバデバイス。
［Ｃ２８］
前記少なくとも１つのフィールドのうちのフィールドが、前記複数の精密タイミング測定メッセージの最初の精密タイミング測定メッセージの送信のための時間オフセットを指定する、Ｃ２７に記載の第１のワイヤレストランシーバデバイス。
［Ｃ２９］
前記精密タイミング測定要求メッセージが、複数のビットを定義するトリガフィールドをさらに備える、前記ビットのうちの少なくとも１つが、前記トリガフィールド以外の少なくとも１つのフィールド中の値が有効であるまたは容認されるのかどうかを示す、Ｃ２７に記載の第１のワイヤレストランシーバデバイス。
［Ｃ３０］
前記少なくとも１つのフィールドのうちのフィールドが、前記精密タイミング測定要求メッセージに応答した送信のために要求される精密タイミング測定値をブロードキャストすべきデータレートを指定する、Ｃ２７に記載の第１のワイヤレストランシーバデバイス。
［Ｃ３１］
前記少なくとも１つのフィールドのうちのフィールドが、精密タイミング測定メッセージの前記バースト中での送信のための精密タイミング測定メッセージの要求数を指定する、Ｃ２７に記載の第１のワイヤレストランシーバデバイス。
［Ｃ３２］
前記少なくとも１つのフィールドのうちのフィールドが、前記精密タイミング測定要求メッセージに応答した前記第２のワイヤレストランシーバデバイスからの送信のために要求される精密タイミング測定メッセージの連続バースト数を指定する、Ｃ２７に記載の第１のワイヤレストランシーバデバイス。
［Ｃ３３］
前記少なくとも１つのフィールドのうちのフィールドが、前記精密タイミング測定要求メッセージに応答した前記第２のワイヤレストランシーバからの送信のための精密タイミング測定メッセージの連続バーストの最初の精密タイミング測定メッセージ間の要求時間期間を指定する、Ｃ２７に記載の第１のワイヤレストランシーバデバイス。
［Ｃ３４］
前記少なくとも１つのフィールドのうちのフィールドが、前記第１のワイヤレストランシーバデバイスにおける前記精密タイミング測定要求メッセージの送信と前記第１のワイヤレストランシーバデバイスにおける精密タイミング測定要求メッセージ肯定応答フレームの受信との間の最大時間を指定する、前記精密タイミング測定要求メッセージ肯定応答フレームが、前記精密タイミング測定要求メッセージの受信に応答して前記第２のワイヤレストランシーバデバイスによって送信されることが予想される、Ｃ２７に記載の第１のワイヤレストランシーバデバイス。
［Ｃ３５］
前記少なくとも１つのフィールドのうちのフィールドが、前記精密タイミング測定要求メッセージに応答した前記第２のワイヤレストランシーバデバイスによる送信のために要求される精密タイミング測定メッセージのバースト数を指定する、Ｃ２７に記載の第１のワイヤレストランシーバデバイス。
［Ｃ３６］
前記精密タイミング測定要求メッセージが、前記第１のワイヤレストランシーバデバイスにおいて以前に計算されたラウンドトリップ時間（ＲＴＴ）または距離を指定する少なくとも１つのフィールドをさらに備える、前記ＲＴＴまたは距離が、前記第１のワイヤレストランシーバデバイスと前記第２のワイヤレストランシーバデバイスとの間でのメッセージの以前の交換に、少なくとも部分的に、基づいて計算される、Ｃ２７に記載の第１のワイヤレストランシーバデバイス。
［Ｃ３７］
前記少なくとも１つのフィールドのうちのフィールドが、複数の精密タイミング測定メッセージのバースト中での連続する精密タイミング測定メッセージの送信間の最小持続時間を指定する、Ｃ２７に記載の第１のワイヤレストランシーバデバイス。
［Ｃ３８］
物品であって、
第２のワイヤレストランシーバデバイスに精密タイミング測定要求メッセージの送信を開始すること、前記精密タイミング測定要求メッセージが、前記第２のワイヤレストランシーバデバイスにおける前記精密タイミング測定要求メッセージの受信に応答した前記第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、
を行うために第１のワイヤレストランシーバデバイスの専用コンピューティング装置によって実行可能である、記憶された機械可読命令を備える非一時的記憶媒体
を備える、物品。
［Ｃ３９］
前記少なくとも１つのフィールドのうちのフィールドが、前記複数の精密タイミング測定メッセージの最初の精密タイミング測定メッセージの送信のための時間オフセットを指定する、Ｃ３８に記載の物品。
［Ｃ４０］
前記精密タイミング測定要求メッセージが、複数のビットを定義するトリガフィールドをさらに備える、前記ビットのうちの少なくとも１つが、前記トリガフィールド以外の少なくとも１つのフィールド中の値が有効であるまたは容認されるのかどうかを示す、Ｃ３８に記載の物品。
［Ｃ４１］
前記少なくとも１つのフィールドのうちのフィールドが、前記精密タイミング測定要求メッセージに応答した送信のために要求される精密タイミング測定値をブロードキャストすべきデータレートを指定する、Ｃ３８に記載の物品。
［Ｃ４２］
前記少なくとも１つのフィールドのうちのフィールドが、精密タイミング測定メッセージの前記バースト中での送信のための精密タイミング測定メッセージの要求数を指定する、Ｃ３８に記載の物品。
［Ｃ４３］
前記少なくとも１つのフィールドのうちのフィールドが、前記精密タイミング測定要求メッセージに応答した前記第２のワイヤレストランシーバデバイスからの送信のために要求される精密タイミング測定メッセージの連続バースト数を指定する、Ｃ３８に記載の物品。
［Ｃ４４］
前記少なくとも１つのフィールドのうちのフィールドが、前記精密タイミング測定要求メッセージに応答した前記第２のワイヤレストランシーバからの送信のための精密タイミング測定メッセージの連続バーストの最初の精密タイミング測定メッセージ間の要求時間期間を指定する、Ｃ３８に記載の物品。
［Ｃ４５］
前記少なくとも１つのフィールドのうちのフィールドが、前記第１のワイヤレストランシーバデバイスにおける前記精密タイミング測定要求メッセージの送信と前記第１のワイヤレストランシーバデバイスにおける精密タイミング測定要求メッセージ肯定応答フレームの受信との間の最大時間を指定する、前記精密タイミング測定要求メッセージ肯定応答フレームが、前記精密タイミング測定要求メッセージの受信に応答して前記第２のワイヤレストランシーバデバイスによって送信されることが予想される、Ｃ３８に記載の物品。
［Ｃ４６］
前記少なくとも１つのフィールドのうちのフィールドが、前記精密タイミング測定要求メッセージに応答して前記第２のワイヤレストランシーバデバイスによって送信されるべき精密タイミング測定メッセージのバースト数を指定する、Ｃ３８に記載の物品。
［Ｃ４７］
前記精密タイミング測定要求メッセージが、前記第１のワイヤレストランシーバデバイスにおいて以前に計算されたラウンドトリップ時間（ＲＴＴ）または距離を指定する少なくとも１つのフィールドをさらに備える、前記ＲＴＴまたは距離が、前記第１のワイヤレストランシーバデバイスと前記第２のワイヤレストランシーバデバイスとの間でのメッセージの以前の交換に、少なくとも部分的に、基づいて計算される、Ｃ３８に記載の物品。
［Ｃ４８］
前記少なくとも１つのフィールドのうちのフィールドが、複数の精密タイミング測定メッセージのバースト中での連続する精密タイミング測定メッセージの送信間の最小持続時間を指定する、Ｃ３８に記載の物品。
［Ｃ４９］
第１のワイヤレストランシーバデバイスであって、
第２のワイヤレストランシーバデバイスに精密タイミング測定要求メッセージを送信するための手段と、前記精密タイミング測定要求メッセージが、前記第２のワイヤレストランシーバデバイスにおける前記精密タイミング測定要求メッセージの受信に応答した前記第２のワイヤレストランシーバからの送信のために要求される精密タイミング測定メッセージのバースト中での複数の精密タイミング測定メッセージの送信のための１つまたは複数の態様を指定する少なくとも１つのフィールドを備える、
前記第２のトランシーバデバイスから、前記少なくとも１つのフィールドに、少なくとも部分的に、基づいて送信される１つまたは複数の精密タイミング測定要求フレームを受信するための手段と
を備える第１のワイヤレストランシーバデバイス。
［Ｃ５０］
前記少なくとも１つのフィールドのうちのフィールドが、前記複数の精密タイミング測定メッセージの最初の精密タイミング測定メッセージの送信のための時間オフセットを指定する、Ｃ４９に記載の第１のワイヤレストランシーバデバイス。
［Ｃ５１］
前記精密タイミング測定要求メッセージが、複数のビットを定義するトリガフィールドをさらに備える、前記ビットのうちの少なくとも１つが、前記トリガフィールド以外の少なくとも１つのフィールド中の値が有効であるまたは容認されるのかどうかを示す、Ｃ４９に記載の第１のワイヤレストランシーバデバイス。
［Ｃ５２］
前記少なくとも１つのフィールドのうちのフィールドが、精密タイミング測定メッセージの前記バースト中での送信のための精密タイミング測定メッセージの要求数を指定する、Ｃ４９に記載の第１のワイヤレストランシーバデバイス。
［Ｃ５３］
前記少なくとも１つのフィールドのうちのフィールドが、前記精密タイミング測定要求メッセージに応答した前記第２のワイヤレストランシーバからの送信のための精密タイミング測定メッセージの連続バーストの最初の精密タイミング測定メッセージ間の要求時間期間を指定する、Ｃ４９に記載の第１のワイヤレストランシーバデバイス。
［Ｃ５４］
前記少なくとも１つのフィールドのうちのフィールドが、前記精密タイミング測定要求メッセージに応答した前記第２のワイヤレストランシーバデバイスによる送信のために要求される精密タイミング測定メッセージのバースト数を指定する、Ｃ４９に記載の第１のワイヤレストランシーバデバイス。
［Ｃ５５］
第１のワイヤレストランシーバデバイスにおいて、
第２のワイヤレストランシーバデバイスから精密タイミング測定要求メッセージを受信することと、前記精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、
前記精密タイミング測定要求メッセージの受信に応答して、前記少なくとも１つのフィールドに、少なくとも部分的に、基づいて前記第２のワイヤレストランシーバデバイスに精密タイミング測定メッセージの１つまたは複数のバーストを送信することと
を備える方法。
［Ｃ５６］
精密タイミング測定メッセージの前記１つまたは複数のバーストを送信することが、前記少なくとも１つのフィールドのうちのフィールドに、少なくとも部分的に、基づいてある時間オフセットで前記複数の精密タイミング測定メッセージのうちの最初の精密タイミング測定メッセージを送信することをさらに備える、Ｃ５５に記載の方法。
［Ｃ５７］
精密タイミング測定メッセージの前記１つまたは複数のバーストを送信することが、前記少なくとも１つのフィールドのうちのフィールドに、少なくとも部分的に、基づいてあるデータレートで精密タイミング測定メッセージの前記１つまたは複数のバーストをブロードキャストすることをさらに備える、Ｃ５５に記載の方法。
［Ｃ５８］
精密タイミング測定メッセージの前記１つまたは複数のバーストを送信することが、前記少なくとも１つのフィールドのうちのフィールドに、少なくとも部分的に、基づいて前記バースト中での送信のための精密タイミング測定メッセージの数を送信することをさらに備える、Ｃ５５に記載の方法。
［Ｃ５９］
精密タイミング測定メッセージの前記１つまたは複数のバーストを送信することが、前記少なくとも１つのフィールドのうちのフィールドに、少なくとも部分的に、基づいて精密タイミング測定メッセージの連続バースト数を送信することをさらに備える、Ｃ５５に記載の方法。
［Ｃ６０］
精密タイミング測定メッセージの前記１つまたは複数のバーストを送信することが、前記少なくとも１つのフィールドのうちのフィールドに、少なくとも部分的に、基づいて連続するバーストの最初の精密タイミング測定メッセージ間の時間期間を維持しながら精密タイミング測定メッセージの連続バーストを送信することをさらに備える、Ｃ５５に記載の方法。
［Ｃ６１］
精密タイミング測定メッセージの前記１つまたは複数のバーストを送信することが、前記少なくとも１つのフィールドのうちのフィールドに、少なくとも部分的に、基づいて精密タイミング測定メッセージのバースト数を送信することをさらに備える、Ｃ５５に記載の方法。
［Ｃ６２］
精密タイミング測定メッセージの前記１つまたは複数のバーストを送信することが、前記少なくとも１つのフィールドのうちのフィールドに、少なくとも部分的に、基づいて前記バースト中での連続する精密タイミング測定メッセージの送信間の最小持続時間を維持することをさらに備える、Ｃ５５に記載の方法。
［Ｃ６３］
第１のワイヤレストランシーバデバイスであって、
ワイヤレス通信ネットワークにメッセージを送信し、前記ワイヤレス通信ネットワークからメッセージを受信するためのトランシーバと、
第２のワイヤレストランシーバデバイスから前記トランシーバにおいて受信された精密タイミング測定要求メッセージを取得することと、前記精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、
前記精密タイミング測定要求メッセージの受信に応答して、前記少なくとも１つのフィールドに、少なくとも部分的に、基づいて前記第２のワイヤレストランシーバデバイスに前記トランシーバを通して精密タイミング測定メッセージの１つまたは複数のバーストの送信を開始することと
を行うための１つまたは複数のプロセッサと
を備える第１のワイヤレストランシーバデバイス。
［Ｃ６４］
精密タイミング測定メッセージの前記１つまたは複数のバーストは、前記複数の精密タイミング測定メッセージのうちの最初の精密タイミング測定メッセージが前記少なくとも１つのフィールドのうちのフィールドに、少なくとも部分的に基づいてある時間オフセットで送信されるように送信される、Ｃ６６に記載の第１のワイヤレストランシーバデバイス。
［Ｃ６５］
前記１つまたは複数のプロセッサが、前記少なくとも１つのフィールドのうちのフィールドに、少なくとも部分的に、基づいてあるデータレートで前記トランシーバを通して精密タイミング測定メッセージの前記１つまたは複数のバーストのブロードキャストを開始することをさらに行う、Ｃ６６に記載の第１のワイヤレストランシーバデバイス。
［Ｃ６６］
精密タイミング測定メッセージの前記１つまたは複数のバーストは、精密タイミング測定メッセージの数が前記少なくとも１つのフィールドのうちのフィールドに、少なくとも部分的に、基づいて前記バースト中で送信されるように送信される、Ｃ６６に記載の第１のワイヤレストランシーバデバイス。
［Ｃ６７］
精密タイミング測定メッセージの前記１つまたは複数のバーストは、連続バースト数が前記少なくとも１つのフィールドのうちのフィールドに、少なくとも部分的に、基づいて送信されるように送信される、Ｃ６６に記載の第１のワイヤレストランシーバデバイス。
［Ｃ６８］
精密タイミング測定メッセージの前記１つまたは複数のバーストは、連続バーストの最初の精密タイミング測定メッセージ間の時間期間が前記少なくとも１つのフィールドのうちのフィールドに、少なくとも部分的に、基づいて維持されるように送信される、Ｃ６６に記載の第１のワイヤレストランシーバデバイス。
［Ｃ６９］
精密タイミング測定メッセージの前記１つまたは複数のバーストは、精密タイミング測定メッセージのバースト数が前記少なくとも１つのフィールドのうちのフィールドに、少なくとも部分的に、基づいて送信されるように送信される、Ｃ６６に記載の第１のワイヤレストランシーバデバイス。
［Ｃ７０］
精密タイミング測定メッセージの前記１つまたは複数のバーストは、最小持続時間が前記少なくとも１つのフィールドのうちのフィールドに、少なくとも部分的に、基づいて前記バースト中での連続する精密タイミング測定メッセージの送信間で維持されるように送信される、Ｃ６６に記載の第１のワイヤレストランシーバデバイス。
［Ｃ７１］
物品であって、
第２のワイヤレストランシーバデバイスから前記第１のワイヤレストランシーバデバイスにおいて受信された精密タイミング測定要求メッセージを取得することと、前記精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、
前記精密タイミング測定要求メッセージの受信に応答して、前記少なくとも１つのフィールドに、少なくとも部分的に、基づいて前記第２のワイヤレストランシーバデバイスに精密タイミング測定メッセージの１つまたは複数のバーストの送信を開始することと
を行うために前記第１のワイヤレストランシーバデバイスの専用コンピューティング装置によって実行可能である、記憶された機械可読命令を備える非一時的記憶媒体
を備える、物品。
［Ｃ７２］
第１のワイヤレストランシーバデバイスであって、
第２のワイヤレストランシーバデバイスから精密タイミング測定要求メッセージを受信するための手段と、前記精密タイミング測定要求メッセージが、送信のために要求される精密タイミング測定メッセージのバースト中での複数の精密タイミング測定メッセージの送信のための１つまたは複数の態様を指定する少なくとも１つのフィールドを備える、
前記少なくとも１つのフィールドに基づいて前記精密タイミング測定要求メッセージの受信に応答して前記第２のワイヤレストランシーバデバイスに精密タイミング測定メッセージの１つまたは複数のバーストを送信するための手段と
を備える第１のワイヤレストランシーバデバイス。
【図１】
0006437533.tif 000008
【図２】
0006437533.tif 000009
【図３】
0006437533.tif 000010
【図４Ａ】
0006437533.tif 000011
【図４Ｂ】
0006437533.tif 000012
【図５Ａ】
0006437533.tif 000013
【図５Ｂ】
0006437533.tif 000014
【図５Ｃ】
0006437533.tif 000015
【図５Ｄ】
0006437533.tif 000016
【図５Ｅ】
0006437533.tif 000017
【図６Ａ】
0006437533.tif 000018
【図６Ｂ】
0006437533.tif 000019
【図６Ｃ】
0006437533.tif 000020
【図６Ｄ】
0006437533.tif 000021
【図６Ｅ】
0006437533.tif 000022
【図６Ｆ】
0006437533.tif 000023
【図６Ｇ】
0006437533.tif 000024
【図６Ｈ】
0006437533.tif 000025
【図６Ｉ】
0006437533.tif 000026
【図６Ｊ】
0006437533.tif 000027
【図６Ｋ】
0006437533.tif 000028
【図６Ｌ】
0006437533.tif 000029
【図６Ｍ】
0006437533.tif 000030
【図７Ａ】
0006437533.tif 000031
【図７Ｂ】
0006437533.tif 000032
【図８】
0006437533.tif 000033
【図９Ａ】
0006437533.tif 000034
【図９Ｂ】
0006437533.tif 000035
【図９Ｃ】
0006437533.tif 000036
【図９Ｄ】
0006437533.tif 000037
【図９Ｅ】
0006437533.tif 000038
【図１０Ａ】
0006437533.tif 000039
【図１０Ｂ】
0006437533.tif 000040
【図１０Ｃ】
0006437533.tif 000041
【図１０Ｄ】
0006437533.tif 000042
【図１０Ｅ】
0006437533.tif 000043
【図１０Ｆ】
0006437533.tif 000044
【図１０Ｇ】
0006437533.tif 000045
【図１０Ｈ】
0006437533.tif 000046
【図１０Ｉ】
0006437533.tif 000047
【図１０Ｊ】
0006437533.tif 000048
【図１０Ｋ】
0006437533.tif 000049
【図１０Ｌ】
0006437533.tif 000050
【図１０Ｍ】
0006437533.tif 000051
【図１０Ｎ】
0006437533.tif 000052
【図１０Ｏ】
0006437533.tif 000053
【図１０Ｐ】
0006437533.tif 000054
【図１０Ｑ】
0006437533.tif 000055
【図１０Ｒ】
0006437533.tif 000056
【図１０Ｓ】
0006437533.tif 000057
【図１０Ｔ】
0006437533.tif 000058
【図１０Ｕ】
0006437533.tif 000059
【図１０Ｖ】
0006437533.tif 000060
【図１１】
0006437533.tif 000061
【図１２】
0006437533.tif 000062
【図１３】
0006437533.tif 000063
【図１４】
0006437533.tif 000064
【図１５Ａ】
0006437533.tif 000065
【図１５Ｂ】
0006437533.tif 000066
【図１６】
0006437533.tif 000067
【図１７】
0006437533.tif 000068
【図１８】
0006437533.tif 000069
【図１９】
0006437533.tif 000070
【図２０】
0006437533.tif 000071